(57)【要約】界面活性剤系及びオレイン酸転換酵素を含む、洗剤組成物、好ましくは手動食器洗浄洗剤組成物、及び洗浄方法。【特許請求の範囲】
【請求項１】
オレイン酸転換酵素及び界面活性剤系を含む洗剤組成物。
【請求項２】
前記オレイン酸転換酵素が、Ｅ．Ｃ．分類番号４．２．１．５３（オレイン酸ヒドラターゼ）、１．１１．２．３（植物種子ペルオキシゲナーゼ）、１．１３．１１．７７（オレイン酸１０Ｓリポキシゲナーゼ）、３．１．２．１４（オレオイル−［アシル−担体−タンパク質］加水分解酵素、及び３．５．１．９９（脂肪酸アミド加水分解酵素）、及びこれらの混合物からなる群から選択される酵素を含み、好ましくはＥ．Ｃ．分類４．２．１．５３を有するオレイン酸ヒドラターゼを含む、請求項１に記載の洗剤組成物。
【請求項３】
前記オレイン酸転換酵素が、エリザベトキンギア・メニンゴセプティカ（Elizabethkingia meningoseptica）、リシニバチルス・フシフォルミス（Lysinibacillus fusiformis）、マクロコッカス・カセオリティカス（Macrococcus caseolyticus）、ラクトバチルス・アシドフィルス（Lactobacillus acidophilus）、ステノトロホモナス・マルトフィリア（Stenotrophomonas maltophilia）、ストレプトコッカス・ピオゲネス（Streptococcus pyogenes）、ビフィドバクテリウム・ブレーベ（Bifidobacterium breve）、ビフィドバクテリウム・アニマリス亜種ラクティス（Bifidobacterium animalis subsp. lactis）（ＢＢ−１２株）、ラクトバチルス・プランタラム亜種プランタラム（Lactobacillus plantarum subsp. plantarum）ＳＴ−ＩＩＩ、ラクトバチルス・ラムノーサス（Lactobacillus rhamnosus）ＬＧＧ、ラクトバチルス・カゼイ（Lactobacillus casei）Ｗ５６、ラクトバチルス・デルブリッキー亜種ブルガリカス（Lactobacillus delbrueckii subsp. bulgaricus）から選択される野生型オレイン酸ヒドラターゼのうちの１種以上と少なくとも６０％の同一性を有する、請求項１又は２に記載の洗剤組成物。
【請求項４】
前記オレイン酸転換酵素が、活性タンパク質に基づいて０．０００１重量％〜１重量％、好ましくは０．００１〜０．２重量％の量で存在する、請求項１〜３のいずれか一項に記載の洗剤組成物。
【請求項５】
前記界面活性剤系が、１つの界面活性剤又は２つ以上の界面活性剤の混合物を含み、前記組成物の５〜８０重量％の量で存在し、好ましくはアニオン性界面活性剤を含む、請求項１〜４のいずれか一項に記載の洗剤組成物。
【請求項６】
前記界面活性剤系が、非イオン性界面活性剤を含む、請求項１〜５のいずれか一項に記載の組成物。
【請求項７】
前記界面活性剤系が、両性及び／又は双極性イオン界面活性剤を含み、好ましくはアニオン性界面活性剤に加えて、両性及び／又は双極性イオン界面活性剤を含み、好ましくは、前記アニオン性界面活性剤並びに前記両性及び／又は前記双極性イオン界面活性剤が、約９：１未満、より好ましくは約５：１〜約１：１、より好ましくは約４：１〜約２：１の重量比である、請求項１〜６のいずれか一項に記載の組成物。
【請求項８】
前記両性界面活性剤が、アミンオキシド界面活性剤を含み、前記双極性イオン界面活性剤が、ベタイン界面活性剤を含む、請求項７に記載の組成物。
【請求項９】
前記組成物が、手動食器洗浄組成物である、請求項１〜８のいずれか一項に記載の洗剤組成物。
【請求項１０】
追加の酵素、好ましくはアミラーゼ、リパーゼ、プロテアーゼ及びセルラーゼからなる群から選択される追加の酵素を更に含む、請求項１〜９のいずれか一項に記載の組成物。
【請求項１１】
化学的及び物理的安定剤の群から選択される酵素安定剤を更に含み、物理的安定剤が封入された酵素を含み得る、請求項１〜１０のいずれか一項に記載の組成物。
【請求項１２】
キレート剤、好ましくはアミノカルボン酸塩又はアミノホスホン酸塩キレート剤から選択されるキレート剤、好ましくはＭＧＤＡ、ＧＬＤＡ、及びこれらの混合物を更に含む、請求項１〜１１のいずれか一項に記載の組成物。
【請求項１３】
汚れた物品、好ましくは食器を手動洗浄する方法であって、請求項１〜１２のいずれか一項に記載の組成物をある体積の水に供給して洗浄液を形成する工程と、前記液中に前記汚れた物品、好ましくは食器又は布地を浸漬する工程と、を含む、方法。
【請求項１４】
汚れた物品、好ましくは食器を手動洗浄する方法であって、請求項１〜１２のいずれか一項に記載の組成物を、前記汚れた物品、好ましくは食器上に直接又は洗浄器具上に供給する工程と、前記洗浄器具を使用して前記器、好ましくは食器又は布地を洗浄する工程と、を含む、方法。
【請求項１５】
汚れを含む水性洗浄液中の泡立ちの寿命の増加をもたらすための、オレイン酸転換酵素の使用。
【発明の詳細な説明】
【技術分野】
【０００１】
（配列表の参照）
本明細書は、コンピュータ可読形態での配列表を含む。本コンピュータ可読形態は、参照により本明細書に組み込まれる。
【０００２】
（発明の分野）
本発明は、界面活性剤系とオレイン酸転換酵素とを含む洗剤組成物に関する。好ましくは、組成物は、手動洗浄プロセス、すなわち手で洗浄するための、又はツインタブなどの半自動洗浄機のような非完全自動洗浄機において使用するためのものである。好ましくは、組成物は、食器洗浄洗剤組成物である。好ましい組成物は、液体形態にある。
【背景技術】
【０００３】
洗剤組成物は、汚れ及び油脂の良好な洗浄を提供するとともに、良好な泡立ちプロファイルを有しなければならない。使用者は通常、泡を洗剤組成物の性能の指標としてみなす。更に、洗剤組成物の使用者は、泡立ちプロファイル及び泡の外観（密度、白さ）を、洗浄溶液がまだ活性洗浄成分を含有することを示す指標としても用いることができる。これは、本明細書で手洗いとも呼ばれる手動洗浄の場合に特に当てはまり、使用者は通常、残った泡立ちに応じて洗剤組成物を投与し、泡立ち／泡がしぼむとき、又は泡が十分に厚く見えないとき洗浄溶液を新しくする。したがって、洗剤組成物、特に、泡立ちがほとんど発生しないか、又は低密度の泡立ちが発生する手動洗浄洗剤組成物は、使用者によって必要以上に頻繁に交換される傾向がある。
【０００４】
したがって、洗剤組成物は、良好な泡高さ及び密度を提供するとともに、洗剤の水との最初の混合の間、及び洗浄作業全体の間に、良好な泡持続時間を提供することが望ましい。手動洗浄プロセスで使用する場合、組成物は、好ましくは心地良い洗浄経験、すなわち、洗浄中の使用者の手に良好な感触も提供する。好ましくは、洗剤組成物は、すすぎも容易である。加えて、好ましくは、組成物は、洗浄された物品に良好な仕上がりを提供する。
【０００５】
いくつかのタイプの汚れ、特に脂性汚れが泡抑制剤として作用し、消費者が必要以上に製品を交換するきっかけになることが見出された。
【発明の概要】
【発明が解決しようとする課題】
【０００６】
したがって、特に脂性汚れ、特にオレイン酸汚れ、例えば、分解時にオレイン酸を形成するオレイン酸含有汚れ（複数可）の存在下で、所望の泡特性を有し、かつ同時に良好な汚れ及び油脂除去を提供する、洗剤組成物を提供する必要がある。
【課題を解決するための手段】
【０００７】
本発明によると、オレイン酸転換酵素と界面活性剤系とを含む洗剤組成物が提供される。
【０００８】
好ましくは洗剤組成物は、手動洗浄組成物である。好ましくは洗剤組成物は、手動洗浄食器洗浄用である。好ましくは、洗剤組成物は、洗濯洗剤組成物を、好ましくは繊細な布地を洗浄するためのものを含む。好ましい組成物は液体の形態にあり、任意にはパウチ、好ましくは多区画パウチで、任意に少なくとも１つの区画に粒子状組成物を含むもの、の形態で、水溶性フィルムに封入される。
【０００９】
本発明はまた、界面活性剤系とオレイン酸転換酵素とを含む洗浄液を形成することと、その表面を洗浄液と接触させることと、任意に表面をすすぎ、かつ乾燥させることと、を含む、汚れ表面を洗浄する方法も提供する。
【００１０】
本発明はまた、汚れ表面を組成物と直接接触させることと、任意に洗浄装置を使用することと、次いで更なる洗浄及び／又はすすぎのために汚れ表面及び洗剤組成物を水と接触させることと、を含む、汚れ表面を洗浄する方法も提供する。
【００１１】
本発明の組成物は、特に脂性汚れの存在下で、良好な洗浄及び良好な泡立ち特性を提供する。本発明の組成物は、オレイン酸又はその塩の存在下で特に有用であることがわかっている。これらは汚れ中に存在するか、体の汚れ及びオリーブオイルなどの料理油のような汚れを除去する間に洗浄液に放出され、分解してオレイン酸を生じるかのいずれかであり得る。
【００１２】
本発明によると、洗剤組成物をある体積の水に供給する工程と、水中に汚れた物品を浸漬する工程とを含む、食器を手動洗浄する方法が提供される。本発明の組成物がこの方法に従って使用されるとき、長持ち効果を有する優れた泡立ち特性が得られる。
【００１３】
本発明によると、本発明の洗剤組成物を、汚れた物品上に直接又は洗浄器具上供給する工程と、洗浄器具を使用して汚れた物品を洗浄する工程とを含む、手動洗浄方法が提供される。好ましくは洗浄器具はスポンジであり、スポンジは濡れていることがより好ましい。
【００１４】
好ましくは、手動洗浄は食器洗浄を含み、汚れた物品は汚れた食器を含む。本明細書で使用するとき、「食器」は、調理器具及び食卓用食器類を含む。
【発明を実施するための形態】
【００１５】
用語の定義
本明細書で使用される冠詞「ａ」及び「ａｎ」は、特許請求の範囲において使用される場合、特許請求又は記載されるものの１つ以上を意味するものと理解される。
【００１６】
本明細書で使用するとき、「を実質的に含まない（substantially free of）」又は「を実質的に含まない（substantially free from）」という用語は、指示された材料が、組成物の約５重量％以下、好ましくは約２重量％以下、より好ましくは約１重量％以下の量で存在することを意味する。
【００１７】
本明細書で使用するとき、「を本質的に含まない（essentially free of）」又は「を本質的に含まない（essentially free from）」という用語は、指示された材料が、組成物の約０．１重量％以下の量で存在するか、あるいは、好ましくはそのような組成物中に、分析的に検出可能な濃度では存在しないことを意味する。示される物質がかかる組成物に意図的に添加された物質のうちの１つ以上の不純物としてのみ存在するような組成物が含まれ得る。
【００１８】
本明細書で使用するとき、「洗浄組成物」、「洗剤組成物」、あるいは「洗剤組成物又は洗浄組成物」という語句は、汚れ表面の洗浄用に設計された組成物及び配合物を指すために、本明細書中で互換的に用いられる。そのような組成物は、洗濯洗剤組成物、布地柔軟化組成物、布地増強組成物、布地消臭組成物、予洗い用洗剤（laundry prewash）、洗濯前処理剤、洗濯補助剤、スプレー製品、ドライクリーニング剤又は組成物、洗濯すすぎ添加剤、洗浄添加剤、すすぎ後布地処理剤、アイロン助剤、食器洗浄組成物、硬質面洗浄組成物、単位用量配合剤、遅延送達配合剤、多孔性基材又は不織布シート上又は中に含有される洗剤、及び本明細書の教示を考慮すると当業者に明らかであり得る他の好適な形態を含むが、これらに限定されない。このような組成物は、洗浄前処理剤、洗浄後処理剤として使用してもよいし、あるいは、洗浄プロセスのすすぎ又は洗浄サイクル中に加えてもよい。この洗浄組成物は、液体、粉末、単相若しくは多相の単位用量若しくはパウチ形態、錠剤、ゲル、ペースト、バー、又はフレークから選択される形態を有し得る。本発明の好ましい実施形態において、本発明の洗浄組成物は、例えば、ポリビニルアルコール（ＰＶＡ）又はそのコポリマーなどの水溶性ポリマーにより形成された単区画又は多区画水溶性パウチによって封入された、単一相又は多相単位用量形態である、洗濯洗剤組成物又は食器用洗剤組成物を含む。好ましくは組成物は手動洗浄用である。好ましくは本発明の洗浄組成物は、食器洗浄洗剤である。好ましくは、組成物は液体の形態である。
【００１９】
本明細書で使用するとき、用語「泡立ち寿命の延長」は、オレイン酸転換酵素の非存在下での同じ組成物及びプロセスによって提供される泡立ち寿命と比較した、オレイン酸転換酵素を含む組成物を使用して汚れた物品を洗浄する洗浄プロセスにおける目視可能な泡立ちの持続時間の増加を意味する。
【００２０】
本明細書で使用される「洗濯洗剤」という用語は、液体又は固体の組成物を意味し、特に断らない限り、顆粒形態又は粉末形態の汎用又は「重質」洗浄剤、特に、洗浄洗剤、並びに漂白添加剤又は前処理タイプなどの洗浄助剤が含まれる。本発明の好ましい実施形態において、洗濯洗剤は、液体洗濯洗剤組成物である。好ましくは、組成物は手動洗浄用である。好ましくは、洗剤組成物は、洗濯洗剤組成物、好ましくは繊細な布地を洗浄するためのものを含む。
【００２１】
本明細書で使用するとき、「汚れ表面」という用語は、限定されないが、木綿、亜麻布、ウール、ポリエステル、ナイロン、絹、アクリルなど、並びに様々なブレンド及び組み合わせなどである、天然、人工、及び合成繊維を含む天然又は人工繊維の網状構造からなる任意のタイプの可撓性材料を非特定的に指す。汚れ表面は、限定されないが、タイル、花崗岩、しっくい、ガラス、複合材料、ビニル、堅木、金属、調理用表面、プラスチックなど、並びにブレンド及び組み合わせ、並びに食器などの天然、人工、及び合成表面を含む任意のタイプの硬質表面を更に指す場合がある。
【００２２】
本明細書で使用するとき、「水硬度」又は「硬度」という用語は、アルカリ性条件下で沈殿し、それにより、界面活性剤の界面活性及び洗浄能力を減ずる可能性のある、水中に存在する非複合型カチオンイオン（すなわち、Ｃａ２＋又はＭｇ２＋）を意味する。更に、「高い水硬度」又は「水硬度の上昇」という用語は、互換的に用いることができ、本発明の目的に関する相対語であり、限定されないが、水１ガロン当たり少なくとも１２グラムのカルシウムイオンを含有する硬度レベル（ｇｐｇ、「米国穀粒硬度」単位）を含むよう意図される。
【００２３】
オレイン酸転換酵素
オレイン酸転換酵素は、オレイン酸及び／又はその塩を転換し、つまり、オレイン酸転換酵素は、オレイン酸又はその塩の量が低減されるように、オレイン酸又はその塩に作用してその化学構造を変化させる酵素である。オレイン酸転換酵素は、好ましくは活性タンパク質の重量に基づいて０．００００１〜２重量％の量で組成物中に存在する。より好ましくは、オレイン酸転換酵素は、活性タンパク質に基づいて０．０００１〜１重量％、より好ましくは０．０００５〜０．５重量％、又は０．００１〜０．２重量％の量で存在してもよい。
【００２４】
オレイン酸転換酵素は、例えば、Ｅ．Ｃ．分類番号１．１１．２．３（植物種子ペルオキシゲナーゼ）、１．１３．１１．７７（オレイン酸１０Ｓリポキシゲナーゼ）、３．１．２．１４（オレオイル−［アシル−担体−タンパク質］加水分解酵素、３．５．１．９９（脂肪酸アミド加水分解酵素）、４．２．１．５３（オレイン酸ヒドラターゼ）及びこれらの混合物から選択されてもよい。必要に応じて、組成物は、酵素の有効な機能に必要な任意の追加の基質を含むか、それへのアクセスを提供するか、又はインサイチュで形成する：植物種ペルオキシゲナーゼのためのヒドロペルオキシド、オレイン酸１０Ｓリポキシゲナーゼのための酸素、オレオイル−［アシル−担体−タンパク質］加水分解酵素のためのチオール、脂肪酸加水分解酵素のためのアンモニア又はアミン、オレイン酸ヒドラターゼのための水。オレイン酸転換酵素は、クラスＥＣ  ４．２．１．５３からのオレイン酸ヒドラターゼであることが好ましい。好適なオレイン酸ヒドラターゼは表１に列挙した野生型オレイン酸ヒドラターゼ及びヒドラターゼ活性を示すその変異体を含むことができる。好ましいオレイン酸ヒドラターゼは、表１に列挙された野生型オレイン酸ヒドラターゼの１つ以上に対して、２０、３０、４０、５０、６０、７０、８０、９０、９５、又は９８％以上の同一性を示す。
【００２５】
【表１】
2019513877.tif 000002
【００２６】
オレイン酸転換酵素は、酵素顆粒などの添加剤粒子を介して、若しくは封入の形態で洗剤組成物中に組み込まれてもよく、又は液体配合物の形態で添加されてもよい。
【００２７】
好適な酵素顆粒には、（ｉ）噴霧乾燥粒子、（ｉｉ）予め形成された不活性コアの周りの層として酵素が被覆され、流動床装置が、コーティング材料を含有する水溶液からコーティング材料の層を付着させるために使用される、層状粒子、（ｉｉｉ）酵素がコアに吸収される、粒子、（ｉｖ）酵素含有ペーストをペレットにプレスするか、又は圧力下でオリフィスを通して押し出し、乾燥させる前に粒子に切断する、押出又はペレット化酵素粒子、（ｖ）酵素粉末を溶融ワックス中に懸濁させ、懸濁液を（例えば、回転ディスクアトマイザーを介して）冷却チャンバーに噴霧する、プリル化生成物、（ｖｉ）酵素含有液体を、従来の造粒材料例えば、必要に応じてセルロース繊維などのフィラメント、又はポリビニルピロリドン又はポリビニルアルコールフィラメントなどのポリマーフィラメントと混合した充填剤及び結合剤、を含む乾燥粉末組成物に添加して、余分な強度を与え、粉剤を低減するプロセスによって調製された、凝集酵素粒子が挙げられる。
【００２８】
特に、洗浄組成物が液体を含む場合、封入されたものを介して酵素を組み込むことが好ましい場合がある酵素を封入することは、組成物中の酵素の安定性を促進し、漂白剤、プロテアーゼ、界面活性剤、キレート剤などの、組成物中に存在するあらゆる敵対化合物の効果を妨げる助けとなる。
【００２９】
封入形態である場合、酵素は通常、ポリマー材料中に封入される。酵素を封入する方法は、例えば、酵素及びポリマーを含む液体組成物を噴霧乾燥することによって、又は酵素（複数可）及びポリマー（複数可）を含有する液体組成物を乾燥させることによって、又は任意に酵素の存在下で乳化重合、コアセルベーション、沈殿場合により酵素の存在下で沈殿又は界面重合を行い、任意にその後乾燥及び／又はサイズ縮小プロセスを行うことにより行われる。好適な酵素を封入するポリマーとしては、ポリビニルアルコール、ポリビニルピロリドン、カルボキシメチルセルロース、グアーガム、ポリカルボン酸、メチルセルロース、ヒドロキシプロピルメチルセルロース、タンパク質、多分岐ポリアミン例えばポリエチレンイミン（ＰＥＩ）、（疎水変性）多糖類、セルロースからなる群から選択されるポリマー、及びそれらの混合物及びそれらの誘導体又はコポリマーが挙げられる。変性セルロース系ポリマーの例としては、上記のものが挙げられ、加えて、ヒドロキシプロピルメチルセルロース、フタレート、セルロースアセテートフタレートが挙げられる。変性ゴムの例としては、変性グアーガム、アランベンゾリン、アラゴガコン、アラビアガム、アラキシアが挙げられる。変性タンパク質の例としては、変性カゼイン、ゼラチン及びアルブミンが挙げられる。変性ポリマーの例は、少なくとも１つの疎水性ビニルモノマーと少なくとも１つの親水性ビニルモノマーとのコポリマーから選択することができる。好適な親水性ビニル系モノマーはビニルピロリドンである。好適な疎水性ビニルモノマーは、Ｃ１〜Ｃ１８アルキルアクリレート、Ｃ１〜Ｃ１８アルキルメタアクリレート、Ｃ３〜Ｃ１８シクロアルキルアクリレート、Ｃ３〜Ｃ１８シクロアルキルメタクリレート及びビニルＣ１〜Ｃ１８アルカン、並びにこれらの混合物である。ポリマーは、Ｃ−Ｃ−主鎖を有するホモポリマー及びコポリマーから選択されるポリマーを含むことができ、Ｃ−Ｃ−骨格は、酸性形態又は中和形態で存在し得るカルボキシル基を有し、Ｃ−Ｃ−骨格は、疎水性反復単位のポリマーの総重量に基づいて（すなわち、ポリマーＰ中の繰り返し単位の総重量に基づいて）、少なくとも２０重量％、例えば、２０〜９８重量％である。ポリマーは、分岐を含むことができ。例えば、ビニルピロリドン及び酢酸ビニルから形成される分岐したコポリマーマトリックス粒子を含むことができる。このポリマーは、コポリマー、例えば国際公開第２０１０／００３９３４号に記載されるように、マレイン酸又は（メタ）アクリル酸に基づくものを含んでもよい。ポリマーは、場合により架橋されていてもよい。
【００３０】
好ましいポリマーは１０００〜５００，０００、又は２０００〜２０００００ダルトンの重量平均の分子量を有する。典型的には、酵素のポリマーに対する重量比は、１：５０〜１０：１である。
【００３１】
例えばポリマーが、ポリマーの総重量に基づいて３５〜９５％  ｗ／ｗの親水性モノマー単位を含む例えば国際公開第２００８／０８４０９３号に記載されているように、ポリマーは、方法１によれば、０ｍｏｌ／ｋｇのイオン強度を有する水溶液に実質的に可溶性であり、１ｍｏｌ／ｋｇを超えるイオン強度を有する水溶液には不溶性であるように選択することができる。
【００３２】
任意に６０％を超える、又は８０若しくは９０％を超える高レベルの加水分解を有する、疎水変性ポリビニルアルコール又は疎水変性ポリビニルピロリドンが好ましくあり得る。好適な疎水性修飾基としては、ケトエステル及び／又はブチリル基とそれらの混合物が挙げられ、好ましくは全置換度（ＤＳ）が約３％〜約２０％である。
【００３３】
オレイン酸転換酵素は、添加剤粒子中に存在する場合に、添加剤粒子中の唯一の酵素であってもよく、又は添加剤粒子中に１つ以上の追加酵素と組み合わせて存在していてもよい。
【００３４】
好適な追加酵素には、プロテアーゼ、例えばメタロプロテアーゼ又はアルカリ性セリンプロテアーゼ、例えばサブチリシン、アミラーゼ、リパーゼ、セルラーゼ、マンナナーゼ、ペクチナーゼ、ＤＮＡｓｅ、酸化還元酵素、ペルオキシダーゼ、リパーゼ、ホスホリパーゼ、セロビオヒドロラーゼ、セロビオースデヒドロゲナーゼ、エステラーゼ、クチナーゼ、ペクチナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びそれらの混合物が挙げられる。好ましい実施形態では、オレイン酸転換酵素は、アミラーゼ、セルラーゼ、プロテアーゼ及び／又はリパーゼ酵素、好ましくはリパーゼ及び／又はプロテアーゼ酵素と組み合わせて、添加剤粒子に組み込まれてもよい。
【００３５】
界面活性剤系
洗剤は典型的には、その約１重量％〜約６０重量％、好ましくは約５重量％〜約５０重量％、より好ましくは約８重量％〜約４５重量％の界面活性剤系を含む。界面活性剤系は、アニオン性界面活性剤、カチオン性界面活性剤、非イオン性界面活性剤、両性界面活性剤、双極性イオン界面活性剤、及びこれらの混合物からなる群から選択される１つ以上の界面活性剤を含む。界面活性剤は、アルキルベンゼンスルホン酸塩、アルコキシル化アルキル硫酸塩、アルキル硫酸塩、及びこれらの混合物からなる群から選択されるアニオン性界面活性剤を含むことが好ましい。
【００３６】
食品洗浄及び良好な泡プロファイルを提供するための好ましい界面活性剤系はｉ）アニオン性界面活性剤、及びｉｉ）両性及び／又は双極性イオン界面活性剤を含む。好ましくは、アニオン性界面活性剤対両性及び／又は双極性イオン界面活性剤の重量比は、９：１未満、より好ましくは５：１未満〜約１：２、より好ましくは約４：１〜約１：１、特に約４：１〜約２：１である。
【００３７】
本明細書において使用するための非常に有用な界面活性剤系は、アニオン性界面活性剤を含み、更にアミンオキシド及び／又はベタイン界面活性剤を含むものを含む。アミン酸化物界面活性剤が特に好ましい。好ましくは界面活性剤系は、アルキル硫酸、アルキルアルコキシサルフェート、特にアルキルエトキシサルフェート、及びこれらの混合物から選択されるアニオン性界面活性剤をアミンオキシドと組み合わせて、最も好ましくは重量％比で９：１未満、より好ましくは５：１未満〜約１：２、更により好ましくは約４：１〜約１：１、特に約４：１〜約２：１で含む。
【００３８】
本明細書で使用するための別の好ましい界面活性剤系は、アニオン性と両性／双極性イオン性との系であり、両性対双極性イオン性の重量比が好ましくは、約２：１〜約１：２、である。特に、両性界面活性剤がアミンオキシド界面活性剤を含み、双極性イオン界面活性剤がベタインを含む系である。好ましいアミン酸化物対ベタインの比は１．５：１〜１：１．５、好ましくは１．２：１〜１：１．２に、最も好ましくは約１：１である。
【００３９】
やはり本明細書での使用に好ましいものとして、非イオン性界面活性剤を含む界面活性剤系がある。本発明の組成物のために特に好ましい界面活性剤系は、好ましくは、アルキルサルフェート、アルキルアルコキシサルフェート及びそれらの混合物、より好ましくはアルコキシル化サルフェートからなる群から選択されるアニオン性界面活性剤を含む。好ましい界面活性剤系は、更に、両性界面活性剤、好ましくはアミンオキシド界面活性剤を含む。好ましい界面活性剤系は、非イオン性界面活性剤を含む。要約すると、本明細書で使用するのに最も好ましい界面活性剤系は、アルコキシル化サルフェート界面活性剤と、アミンオキシドと非イオン性界面活性剤とを含むものである。最も好ましくは、非イオン性界面活性剤は、アルコキシル化アルコール界面活性剤、特にエトキシ化アルコール界面活性剤である。
【００４０】
アニオン性界面活性剤
アニオン性界面活性剤としては、その分子構造中に一般に８〜２２個の炭素原子又は一般に８〜１８個の炭素原子を含む有機疎水性基と、スルホネート、サルフェート、及びカルボキシレートから好ましくは選択される、水溶性化合物を形成するための少なくとも１つの水可溶化基と、を含有する表面活性化合物が挙げられるが、これらに限定されない。通常、疎水基は、Ｃ８〜Ｃ２２のアルキル基、及び／又はアシル基を含む。かかる界面活性剤は水溶性塩の形態で使用され、塩形成カチオンは、通常、ナトリウム、カリウム、アンモニウム、マグネシウム、及びモノ、ジ又はトリ−Ｃ２−Ｃ３アルカノールアンモニウムから選択され、通常選択されるカチオンはナトリウムである。
【００４１】
好ましくは界面活性剤系はアニオン性界面活性剤又はその混合物である。アニオン性界面活性剤は、好ましくはアニオン性サルフェート又はスルホネートの界面活性剤又はそれらの混合物から選択される、いずれかのアニオン性洗浄界面活性剤を含む。
【００４２】
好ましくは、アニオン性界面活性剤は、アルコキシル化アルキルサルフェート界面活性剤、好ましくはエトキシ化アルキルサルフェート界面活性剤であり、好ましくは約０．２〜約３、より好ましくは約０．３〜約２、更により好ましくは約０．４〜約１．５、特に約０．４〜約１の平均エトキシ化度を有するものである。アニオン界面活性剤が界面活性剤の混合物である場合、アルコキシル化度は、混合物の全成分の重量平均アルコキシル化度（重量平均アルコキシル化度）である。重量平均アルコキシ化度の計算において、アルコキシ化された基を有しないアニオン性界面活性剤成分の重量も含める必要がある。
【００４３】
重量平均アルコキシ化度＝（ｘ１＊界面活性剤１のアルコキシ化度＋ｘ２＊界面活性剤２のアルコキシ化度＋．．．．）／（ｘ１＋ｘ２＋．．．）、式中、ｘ１、ｘ２、．．．は、混合物の各アニオン性界面活性剤のグラム単位の重量であり、アルコキシ化度は、各アニオン性界面活性剤のアルコキシ基の数である。
【００４４】
典型的には約２％〜約６０％の重量平均分枝率を有する分枝状アニオン性界面活性剤が好ましく、より好ましくは、約５％〜約４０％の重量平均分枝率を有するものである。
【００４５】
好ましくは、本発明の洗剤で使用するアニオン性界面活性剤は、約５％〜約４０％、好ましくは約１０％〜約３５％、より好ましくは約２０％〜約３０％の分枝率を有する分枝状アニオン性界面活性剤を含む。好ましくは、分岐基はアルキルである。典型的には、アルキルは、メチル、エチル、プロピル、ブチル、ペンチル、環状アルキル基、及びこれらの混合物から選択される。単一又は複数のアルキル分枝基は、本発明の洗剤で使用するアニオン性界面活性剤を生成するために用いる、出発アルコール（複数を含む）のヒドロカルビル主鎖に存在することができる。最も好ましくは、分枝状アニオン性界面活性剤は、アルキルサルフェート、アルキルエトキシサルフェート、及びこれらの混合物から選択される。
【００４６】
分枝状アニオン性界面活性剤は、単一のアニオン性界面活性剤又はアニオン性界面活性剤の混合物であり得る。単一の界面活性剤の場合、分岐の割合は、界面活性剤が誘導される元のアルコールにおいて分岐しているヒドロカルビル鎖の重量％を指す。
【００４７】
界面活性剤混合物の場合、分岐の割合は重量平均であり、以下の式に従って定義され、
分岐の重量平均（％）＝［（ｘ１＊アルコール１中の分岐アルコール１の重量％＋ｘ２＊アルコール２中の分岐アルコール２の重量％＋．．．．）／（ｘ１＋ｘ２＋．．．．）］＊１００
式中、ｘｌ、ｘ２、．．．は、本発明の洗剤のアニオン性界面活性剤のための出発原料として使用したアルコールの全アルコール混合物中の各アルコールのグラム単位の重量である。重量平均分枝化度の計算には、分枝基を有しないアニオン性界面活性剤成分の重量も含めなければならない。
【００４８】
好ましくは、界面活性剤系は、界面活性剤系の少なくとも５０重量％、より好ましくは少なくとも６０重量％、特に少なくとも７０重量％の分枝状エトキシル化アルコールを含む。特に好ましい界面活性剤系では、分枝状アニオン性界面活性剤は、約０．１〜約５の又は０．２〜約３の平均エトキシル化度、及び好ましくは約５％〜約４０％の分枝率を有するアルキルエトキシル化サルフェートをその５０重量％超含む。
【００４９】
好ましくは、分枝状アニオン性界面活性剤は、分枝状アニオン性界面活性剤の少なくとも５０重量％、より好ましくは少なくとも６０重量％、特に少なくとも７０重量％のサルフェート界面活性剤を含む。洗浄観点の技術から特に好ましい洗剤は、分枝状アニオン性界面活性剤がその５０重量％超、より好ましくは少なくとも６０重量％、特に少なくとも７０重量％のサルフェート界面活性剤を含んでおり、このサルフェート界面活性剤がアルキルサルフェート、アルキルエトキシサルフェート及びこれらの混合物からなる群から選択される洗剤である。更により好ましいのは、分枝状アニオン性界面活性剤が約０．２〜約３、より好ましくは約０．３〜約２、更により好ましくは約０．４〜約１．５、特に約０．４〜約１のエトキシ化度を有しており、更により好ましくはアニオン性界面活性剤が約１０％〜約３５％、より好ましくは約２０％〜約３０％の分枝率を有するものである。
【００５０】
サルフェート界面活性剤
好ましくは、界面活性剤は、アニオン性サルフェート界面活性剤を含む。アルキルサルフェート、アルキルアルコキシサルフェート及びそれらの混合物からなる群から選択されるアニオン性サルフェート界面活性剤は、特に食器洗浄組成物のために特に好ましくあり得る。
【００５１】
特に、アルコキシル化アニオン性界面活性剤、より好ましくはアルキルアルコキシサルフェート界面活性剤が好ましい。本明細書に用いるのに好ましいアルキルアルコキシサルフェートは、アルキルエトキシサルフェートである。本明細書で使用するのに好適なサルフェート界面活性剤としては、Ｃ８〜Ｃ１８のアルキル若しくはヒドロキシアルキル、サルフェート及び／又はエーテルサルフェートの水溶性塩が挙げられる。好適な対イオンとしては、アルカリ金属カチオン又はアンモニウム若しくは置換アンモニウムが挙げられるが、ナトリウムが好ましい。
【００５２】
サルフェート界面活性剤は、Ｃ８〜Ｃ１８の第一級分枝鎖及びランダムアルキルサルフェート（ＡＳ）；Ｃ８〜Ｃ１８の第二級（２，３）アルキルサルフェート；Ｃ８〜Ｃ１８のアルキルアルコキシサルフェート（ＡＥｘＳ）（式中、好ましくは、ｘは１〜３０であり、アルコキシ基はエトキシ、プロポキシ、ブトキシ、又は更にはより高級なアルコキシ基、及びこれらの混合物から選択することができる）から選択することができる。アルコキシル化アニオン性界面活性剤は、通常、約０．１〜１１又は０．１〜７、好ましくは約０．２〜約４、更により好ましくは約０．３〜約３、更により好ましくは約０．４〜約１．５、特に約０．４又は０．２〜約１の平均アルコキシル化度を有する。好ましくは、アルコキシ基は、エトキシである。
【００５３】
アルキルサルフェート及びアルキルアルコキシサルフェートは、様々な鎖長、エトキシ化度及び分枝度で市販されている。市販品として入手可能なサルフェートとしては、Ｓｈｅｌｌ社製のＮｅｏｄｏｌアルコール、Ｓａｓｏｌ社製のＬｉａｌ−Ｉｓａｌｃｈｅｍ及びＳａｆｏｌ、Ｐｒｏｃｔｅｒ  ＆  Ｇａｍｂｌｅ  Ｃｈｅｍｉｃａｌｓ社製の天然アルコールをベースにしたものが挙げられる。
【００５４】
界面活性剤系は、アルキルサルフェート及び／又はアルキルエトキシサルフェート、より好ましくは、組み合わせた平均エトキシ化度が５未満、好ましくは３未満、より好ましくは２未満及び０．５超である、アルキルサルフェート及び／又はアルキルエトキシサルフェートの組み合わせを含む。好ましくは、アニオン性界面活性剤は、約５％〜約４０％の平均分枝度を有する。
【００５５】
スルホネート界面活性剤
本明細書における使用に適したスルホネート界面活性剤としては、Ｃ８〜Ｃ１８アルキル又はヒドロキシアルキルスルホネートの水溶性塩；国際公開第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号に記載されるＣ１１〜Ｃ１８アルキルベンゼンスルホネート（ＬＡＳ）、変性アルキルベンゼンスルホネート（ＭＬＡＳ）；メチルエステルスルホネート（ＭＥＳ）；及びα−オレフィンスルホネート（ＡＯＳ）が挙げられる。スルホネート界面活性剤としては、モノスルホネート及び／又はジスルホネートであり得るパラフィンスルホネートも挙げられ、１０〜２０個の炭素原子を有するパラフィンのスルホン化により得られる。スルホネート界面活性剤としては、アルキルグリセリルスルホネート界面活性剤も挙げられる。特に、洗濯洗剤に関して、アニオン性界面活性剤は、好ましくは少なくとも４０％、又はより好ましくは少なくとも５０％、又は少なくとも６０％、又は更には少なくとも８０％若しくは９０％のスルホネート界面活性剤を含む。
【００５６】
脂肪酸
高級脂肪酸の水溶性塩、すなわち「石鹸」はまた、本発明の洗浄組成物において有用なアニオン性界面活性剤であり得る。これには、約８〜約２４個の炭素原子、好ましくは約１２〜約１８個の炭素原子を含有する高級脂肪酸のナトリウム塩、カリウム塩、アンモニウム塩、及びアルキルアンモニウム塩のような、アルカリ金属石鹸が挙げられる。石鹸は、油脂の直接鹸化によって、又は遊離脂肪酸の中和によって作製することができる。かかるアルカリ塩としては、脂肪酸の、ナトリウム、カリウム、リチウム及び／又はマグネシウム塩並びにアンモニウム及び／若しくはアルキルアンモニウム塩等の、一価又は二価のアルカリ金属塩、好ましくはナトリウム塩が挙げられる。特に有用なものは、ココヤシ油、パーム核油及び獣脂由来の脂肪酸の混合物のナトリウム塩及びカリウム塩、すなわち、ナトリウム又はカリウムタロー、パーム核及びココヤシ石鹸である。洗剤組成物は、約０．１重量％〜約１０重量％、好ましくは約０．５重量％〜約３重量％、より好ましくは約１重量％〜約１．５重量％の１種以上の脂肪酸及び／又はそのアルカリ塩を含んでもよい。これは、改善されたすすぎを提供するのに特に有利であり得る。しかしながら、本発明の洗浄組成物は、石鹸を、例えば、好ましくは約５重量％以下、より好ましくは約２重量％以下又は１重量％以下の比較的低い濃度で含有し、洗浄組成物は、石鹸を本質的に含まないことが最も好ましい。脂肪酸が添加される場合、脂肪酸は、非常に低レベルの不飽和脂肪酸、特にオレイン酸を含有することが好ましい。組成物中のオレイン酸のレベルは、好ましくは組成物の０．５重量％未満、より好ましくは０．３重量％未満、より好ましくは０．２重量％未満、又は更には０．１重量％未満であり、最も好ましくはオレイン酸を実質的に含まない。より高いレベルが適応され得るが、それらの存在によって引き起こされる競合に対抗するために、追加の酵素が存在する必要があり得る。オレイン酸が組み込まれている場合には、酵素安定剤もまた組み込むことが好ましくあり得る。封入によるなどの物理的安定化が特に好ましい場合がある。
【００５７】
非イオン性界面活性剤
存在する場合、非イオン性界面活性剤は通常、組成物の０．０５重量％〜３０重量％、好ましくは０．１重量％〜２０重量％、最も好ましくは０．５重量％〜１０重量％若しくは０．５重量％〜７重量％、又は更には０．５重量％〜３重量％の量で存在する。非イオン性界面活性剤は、好ましくは界面活性剤系の１〜６０重量％の量で界面活性剤系中に存在し、特に洗濯洗剤については、好ましくは界面活性剤系に基づいて２〜６０、又は５〜５５重量％である。好適な非イオン性界面活性剤としては、脂肪族アルコールと１〜２５モルのエチレンオキシドとの縮合生成物が挙げられる。脂肪族アルコールのアルキル鎖は、直鎖であっても分枝鎖であってもよく、一級であっても二級であってもよく、一般的に８〜２２個の炭素原子を含有し得る。特に好ましいのは、１０〜１８個の炭素原子、好ましくは１０〜１５個の炭素原子を含有するアルキル基を有するアルコールと、アルコール１モル当たり２〜１８モル、好ましくは２〜１５モル、より好ましくは５〜１２モルのエチレンオキシドとの縮合生成物である。極めて好ましい非イオン性界面活性剤は、ゲルベアルコールと、アルコール１モル当たり２〜１８モル、好ましくは２〜１５モル、より好ましくは５〜１２モルのエチレンオキシドとの縮合生成物である。
【００５８】
しかしながら、本発明のある好ましい実施形態において、特に食器洗浄に関して、洗浄組成物は、非イオン性界面活性剤を、比較的低い濃度、例えば、約３重量％以下、より好ましくは約２重量％以下又は１重量％以下で含有し、前述の洗浄組成物が非イオン性界面活性剤を本質的に含まないことが最も好ましい。
【００５９】
本明細書において有用な他の界面活性剤としては、両性界面活性剤、双極性イオン界面活性剤及びカチオン性界面活性剤が挙げられる。そのような界面活性剤は、典型的には、約０．２重量％、０．５重量％又は１重量％〜約１０重量％、２０重量％又は３０重量％のレベルで存在する。更に好ましい実施形態では、本発明の組成物は、両性及び／又は双極性イオン界面活性剤、より好ましくはアミンオキシド又はベタイン界面活性剤、最も好ましくはアミンオキシドを更に含む。
【００６０】
本発明の好ましいが必須ではない実施形態では、洗浄組成物は、１種以上の両性及び／又は双極性イオン界面活性剤、好ましくはアミンオキシドを約０．５重量％〜約２０重量％含有する液体食器用洗剤組成物である。
【００６１】
両性界面活性剤
好ましい両性界面活性剤は、例えば、アルキルジメチルアミンオキシド又はアルキルアミドプロピルジメチルアミンオキシドのようなアミンオキシド界面活性剤からなる群から選択され、より好ましくはアルキルジメチルアミンオキシド、特にココジメチルアミノオキシドである。アミンオキシドは、直鎖又は中鎖分枝状アルキル部分を有し得る。典型的な直鎖アミンオキシドとしては、１つのＲ１  Ｃ８〜１８アルキル部分と、Ｃ１〜３アルキル基及びＣ１〜３ヒドロキシアルキル基からなる群から選択される２つのＲ２及びＲ３部分とを含有する水溶性アミンオキシドが挙げられる。好ましくは、アミンオキシドは、式Ｒ１−Ｎ（Ｒ２）（Ｒ３）Ｏ（式中、Ｒ１はＣ８〜１８アルキルであり、Ｒ２及びＲ３は、メチル、エチル、プロピル、イソプロピル、２−ヒドロキシエチル、２−ヒドロキシプロピル、及び３−ヒドロキシプロピルからなる群から選択される）により特徴付けられる。直鎖アミンオキシド系界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。本明細書で使用するとき、「中鎖分枝状（mid-branched）」とは、アミンオキシドが、ｎ１個の炭素原子を有する１つのアルキル部分を有し、このアルキル部分における１つのアルキル分枝がｎ２個の炭素原子を有することを意味する。アルキル分枝は、アルキル部分の窒素のα炭素に位置する。アミンオキシドにおけるこの種の分岐は、当該技術分野において、内部アミンオキシドとしても知られている。ｎ１とｎ２との合計は、１０〜２４個の炭素原子、好ましくは１２〜２０個、より好ましくは１０〜１６個である。１つのアルキル部分と１つのアルキル分岐とが対称となるように、１つのアルキル部分の炭素原子数（ｎ１）は、１つのアルキル分岐の炭素原子数（ｎ２）とおよそ同じでなければならない。本明細書で使用するとき、「対称」とは、本明細書で使用される中鎖分枝状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。アミンオキシドは、Ｃ１〜３アルキル、Ｃ１〜３ヒドロキシアルキル基、又は平均して約１〜約３個のエチレンオキシド基を含有するポリエチレンオキシド基から独立して選択される２つの部分を更に含む。好ましくは、２つの部分は、Ｃ１〜３アルキルから選択され、より好ましくはいずれもＣ１アルキルとして選択される。最も好ましくは、補助界面活性剤は、アミンオキシド、特に、Ｃ１０〜Ｃ１８アルキルジメチルアミンオキシドである。
【００６２】
双極性イオン界面活性剤
他の好適な界面活性剤には、ベタイン、例えばアルキルベタイン、アルキルアミドベタイン、アミダゾリニウムベタイン、スルホベタイン（ＩＮＣＩスルタインとも呼ばれる）並びにホスホベタインが含まれる。好ましいベタイン類は、式Ｉを満たし、
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−  （Ｉ）
式中、Ｒ１は、飽和又は不飽和Ｃ６〜２２アルキル残基であり、好ましくはＣ８〜１８アルキル残基、特に飽和Ｃ１０〜１６アルキル残基、例えば飽和Ｃ１２〜１４アルキル残基であり、
Ｘは、ＮＨ、Ｃ１〜４アルキル残基Ｒ４を有するＮＲ４、Ｏ又はＳであり、
ｎは、１〜１０の数、好ましくは２〜５、特に３であり、
ｘは、０又は１、好ましくは１であり、
Ｒ２、Ｒ３は独立して、ヒドロキシエチル、好ましくはメチルなどのヒドロキシ置換される可能性のあるＣ１〜４アルキル残基であり、
ｍは、１〜４の数、特に１、２又は３であり、
ｙは、０又は１であり、
Ｙは、ＣＯＯ、ＳＯ３、ＯＰＯ（ＯＲ５）Ｏ又はＰ（Ｏ）（ＯＲ５）Ｏであり、式中、Ｒ５は、水素原子Ｈ又はＣ１〜４アルキル残基である。
【００６３】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり、
Ｒ１−Ｎ＋（ＣＨ３）２−ＣＨ２ＣＯＯ−  （Ｉａ）
Ｒ１−ＣＯ−ＮＨ（ＣＨ２）３−Ｎ＋（ＣＨ３）２−ＣＨ２ＣＯＯ−  （Ｉｂ）
Ｒ１−Ｎ＋（ＣＨ３）２−ＣＨ２ＣＨ（ＯＨ）ＣＨ２ＳＯ３−  （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−  （Ｉｄ）、式中、Ｒ１１は、式Ｉと同じ意味である。特に好ましいベタインは、カルボベタイン［式中、Ｙ−＝ＣＯＯ−］であり、特に式（Ｉａ）及び（Ｉｂ）のカルボベタインであり、式（Ｉｂ）のアルキルアミドベタインがより好ましい。
【００６４】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、ヤシ仁アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。例えば、好ましいベタインは、ココアミドプロピルベタインである。
【００６５】
したがって、本発明の洗剤組成物において最も好ましい界面活性剤系は、（１）全組成物の１重量％〜４０重量％、好ましくは６重量％〜３２重量％、より好ましくは８重量％〜２５重量％のアニオン性界面活性剤、好ましくはアルコキシ化サルフェート界面活性剤、（２）組成物の０．０１重量％〜２０重量％、好ましくは０．２重量％〜１５重量％、より好ましくは０．５重量％〜１０重量％の両性及び／又は双極性イオン及び／又は非イオン性界面活性剤を含む。好ましい組成物は、両性及び非イオン性界面活性剤の組成物の０．０１重量％〜２０重量％を含み、最も好ましくは両性界面活性剤がアミンオキシド界面活性剤を含む。オレイン酸ヒドラターゼ酵素と組み合わせたそのような界面活性剤系は、特に、脂性汚れ及び脂性汚れの分解生成物の存在下で、非常に良好な泡立ち特性を有すると同時に、手動食器洗浄洗剤から必要とされる優れた洗浄を提供し、洗浄物の良好な仕上がりを提供することがわかった。
【００６６】
酵素安定剤
好ましくは、本発明の組成物は酵素安定剤を含む。好適な酵素安定剤は、（ａ）アルカリ土類金属、アルカリ金属、アルミニウム、鉄、銅及び亜鉛、好ましくはアルカリ金属及びアルカリ土類金属の無機塩又は有機塩、好ましくはハロゲン化物、硫酸塩、亜硫酸塩、炭酸塩、炭酸水素塩、硝酸塩、亜硝酸塩、リン酸塩、ギ酸塩、酢酸塩、プロピオン酸塩、クエン酸塩、マレイン酸塩、酒石酸塩、コハク酸塩、シュウ酸塩、乳酸塩、及びそれらの混合物とのアルカリ金属及びアルカリ土類金属塩からなる群から好ましくは選択される、一価、二価及び／又は三価カチオンからなる群から選択されてもよい。好ましい実施形態において、塩は、塩化ナトリウム、塩化カルシウム、塩化カリウム、硫酸ナトリウム、硫酸カリウム、酢酸ナトリウム、酢酸カリウム、ギ酸ナトリウム、ギ酸カリウム、乳酸カルシウム、硝酸カルシウム及びそれらの混合物からなる群から選択される。最も好ましいものは、塩化カルシウム、塩化カリウム、硫酸カリウム、酢酸ナトリウム、酢酸カリウム、ギ酸ナトリウム、ギ酸カリウム、乳酸カルシウム、硝酸カルシウム、及びこれらの混合物からなる群から選択された塩であり、特に、塩化カリウム、硫酸カリウム、酢酸カリウム、ギ酸カリウム、プロピオン酸カリウム、乳酸カリウム及びこれらの混合物からなる群から選択されるカリウム塩である。酢酸カリウム及び塩化カリウムが最も好ましい。好ましいカルシウム塩は、ギ酸カルシウム、乳酸カルシウム、硝酸カルシウム四水和物を含む硝酸カルシウムである。ギ酸カルシウム及びギ酸ナトリウム塩も好ましい。これらのカチオンは、総組成物の少なくとも約０．０１重量％、好ましくは少なくとも約０．０３重量％、より好ましくは少なくとも約０．０５重量％、最も好ましくは少なくとも約０．２５重量％で、約２重量％まで、更に１重量％までで存在する。これらの塩は、組成物の総重量に対して約０．１〜約５重量％、好ましくは約０．２〜約４重量％、より好ましくは約０．３〜約３重量％、最も好ましくは約０．５〜約２重量％で配合される。更に酵素安定剤は、（ｂ）オリゴ糖、多糖類及びそれらの混合物、例えば国際公開第２０１２１９８４４号に記載のグリセリン単糖からなる群から選択される炭水化物、（ｃ）フェニルボロン酸及びその誘導体、好ましくは４−ホルミルフェニルボロン酸からなる群から選択される大量で効率的な可逆的プロテアーゼ阻害剤、（ｄ）１，２−プロパンジオール、プロピレングリコール等のアルコール、（ｅ）ペプチドアルデヒド安定剤例えば、Ｃｂｚ−Ｇｌｙ−Ａｌａ−Ｔｙｒ−Ｈのようなトリペプチドアルデヒド、又は二置換アラニンアミド、（ｆ）カルボン酸、例えば国際公開第２０１２／１９８４９号に記載のフェニルアルキルジカルボン酸のようなカルボン酸、又は国際公開第２０１２／１９８４８号に記載されるようなベンジル基の少なくとも２つの炭素原子にカルボキシル基を含む多重置換ベンジルカルボン酸、フタロイルグルタミン酸、フタロイルアスパラギン酸、アミノフタル酸及び／又はオリゴアミノ−ビフェニル−オリゴカルボン酸、及び（ｇ）それらの混合物、の群から選択することができる。適切な混合物の例は、（１）ホウ素含有化合物などの可逆的プロテアーゼ阻害剤、（２）１−２プロパンジオール、（３）ギ酸カルシウム及び／又はギ酸ナトリウム、（４）それらの任意の組み合わせを含む。
【００６７】
本発明の洗浄組成物が粉末形態で提供される場合、同様に、この粉末がビルダーを低濃度で含むか又は更には本質的に含まないことが、特に好ましい場合があり得る。「実質的に含まない」なる用語は、組成物が「意図的に添加された」量のその成分を含まないことを意味する。好ましい実施形態において、本発明の洗浄組成物は、ビルダーをいっさい含まない。
【００６８】
追加酵素
好適な追加酵素としては、プロテアーゼ、例えばメタロプロテアーゼ又はアルカリ性セリンプロテアーゼ、例えばサブチリシン、アミラーゼ、リパーゼ、セルラーゼ、マンナナーゼ、ペクチナーゼ、ＤＮＡｓｅ、酸化還元酵素、ペルオキシダーゼ、リパーゼ、ホスホリパーゼ、セロビオヒドロラーゼ、セロビオースデヒドロゲナーゼ、エステラーゼ、クチナーゼ、ペクチナーゼ、ペクチン酸リアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びそれらの混合物が挙げられる。
【００６９】
本発明の好ましい組成物はリパーゼ、プロテアーゼ、セルラーゼ、アミラーゼ及びそれらの任意の組み合わせから選択される１つ以上の酵素を含む。
【００７０】
各追加の酵素は、典型的には０．０００１〜１重量％（活性タンパク質の重量）、より好ましくは０．０００５〜０．５重量％、最も好ましくは０．００５〜０．１％の量で存在する。本発明の組成物は、リパーゼ酵素を更に含むことが特に好ましくあり得る。リパーゼは、脂肪酸エステルの汚れを脂肪酸に分解し、次いで、それはオレイン酸転換酵素によって泡立ち中性剤又は泡立ち増進剤へと作用される。好適なリパーゼとしては、細菌由来、真菌由来、又は合成由来、及びこれらの変異体が挙げられる。化学的に改変された又はタンパク質操作された突然変異体も適している。好適なリパーゼの例としては、フミコーラ（Humicola）（同意語サーモマイセル（Thermomyces））由来、例えば、Ｈ．ラヌギノサ（H. lanuginosa）（Ｔ．ラヌギノサス（T. lanuginosus））由来のリパーゼが挙げられる。
【００７１】
リパーゼは、例えば、国際公開第０６／０９０３３５号、及び国際公開第１３／１１６２６１号に記載のリパーゼ等の「第１のサイクルリパーゼ」であってもよい。一態様では、リパーゼは、第１の洗浄用リパーゼであり、好ましくは、Ｔ２３１Ｒ及び／又はＮ２３３Ｒ突然変異を含む、サーモマイセス・ラヌギノサス由来の野生型リパーゼの変異体である。好ましいリパーゼとしては、Ｎｏｖｏｚｙｍｅｓ（Ｂａｇｓｖａｅｒｄ，Ｄｅｎｍａｒｋ）によりＬｉｐｅｘ（登録商標）、Ｌｉｐｏｌｅｘ（登録商標）、及びＬｉｐｏｃｌｅａｎ（登録商標）の商品名で販売されているリパーゼが挙げられる。
【００７２】
他の好適なリパーゼとしては、Ｌｉｐｒｌ  １３９（例えば、国際公開第２０１３／１７１２４１号に記載）及びＴｆｕｌＬｉｐ２（例えば、国際公開第２０１１／０８４４１２号及び国際公開第２０１３／０３３３１８号に記載）が挙げられる。
【００７３】
本発明の組成物は、プロテアーゼ酵素を更に含むことが特に好ましくあり得る。オレイン酸及びその他の発泡抑制脂肪酸は体の汚れやヒトの皮膚にも存在するため、プロテアーゼ酵素はスキンケア剤として作用し、又はタンパク質性汚れを破壊するため、放出された脂肪酸は分解され、泡立ちの抑制が抑制される。好適なプロテアーゼとしては、メタロプロテアーゼ及び／又はセリンプロテアーゼが挙げられる。好適な中性又はアルカリ性プロテアーゼの例としては、サブチリシン（ＥＣ  ３．４．２１．６２）、トリプシン型又はキモトリプシン型プロテアーゼ、及びメタロプロテアーゼが挙げられる。好適なプロテアーゼとしては、前述の好適なプロテアーゼの化学的又は遺伝的に改変された突然変異体が挙げられる。
【００７４】
好適な市販のプロテアーゼ酵素としては、Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、ＤｕＰｏｎｔより、Ｍａｘａｔａｓｅ（登録商標）、Ｍａｘａｃａｌ（登録商標）、Ｍａｘａｐｅｍ（登録商標）、Ｐｒｅｆｅｒｅｎｚ（登録商標）Ｐ２８０、Ｐｒｅｆｅｒｅｎｚ（登録商標）Ｐ２８１、Ｐｒｅｆｅｒｅｎｚ（登録商標）Ｐ２０１８−Ｃ、Ｐｒｅｆｅｒｅｎｚ（登録商標）Ｐ２０８１−ＷＥ、Ｐｒｅｆｅｒｅｎｚ（登録商標）Ｐ２０８２−ＥＥ及びＰｒｅｆｅｒｅｎｚ（登録商標）Ｐ２０８３−Ａ／Ｊを含む、Ｐｒｅｆｅｒｅｎｚ（登録商標）シリーズのプロテアーゼ、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の突然変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａより入手可能）；並びにＫａｏのＫＡＰ（突然変異Ａ２３０Ｖ＋Ｓ２５６Ｇ＋Ｓ２５９Ｎを有するバチルス・アルカロフィルス（Bacillus alkalophilus）由来のサブチリシン）が挙げられる。
【００７５】
好適なプロテアーゼについては、国際公開第１１／１４０３１６号及び同第１１／０７２１１７号に記載されている。
【００７６】
本発明の組成物は、アミラーゼ酵素を更に含むことが特に好ましくあり得る。油性汚れが一般にデンプン質汚れに捕捉されるため、アミラーゼ及びヒドラターゼ酵素は一緒に相乗的に作用し、デンプン質汚れのアミラーゼによる分解によって脂肪酸汚れが放出され、したがって、ヒドラターゼ酵素は、洗浄液中の泡立ちに悪影響を及ぼさないことを確実にする上で特に有効である。好ましいアミラーゼは、バチルス種ＤＳＭ１２６４９に内在するＡＡ５６０αアミラーゼから誘導され、好ましくは以下の突然変異：Ｒ１１８Ｋ，Ｄ１８３＊，Ｇ１８４＊，Ｎ１９５Ｆ，Ｒ３２０Ｋ，及び／又はＲ４５８Ｋ．を有する。好適な市販のアミラーゼとしては、Ｓｔａｉｎｚｙｍｅ（登録商標）、Ｓｔａｉｎｚｙｍｅ（登録商標）Ｐｌｕｓ、Ｎａｔａｌａｓｅ、Ｔｅｒｍａｍｙｌ（登録商標）、Ｔｅｒｍａｍｙｌ（登録商標）Ｕｌｔｒａ、Ｌｉｑｕｅｚｙｍｅ（登録商標）ＳＺ、Ｄｕｒａｍｙｌ（登録商標）、Ｅｖｅｒｅｓｔ（登録商標）（全てＮｏｖｏｚｙｍｅｓ）及びＳｐｅｚｙｍｅ（登録商標）ＡＡ、Ｐｒｅｆｅｒｅｎｚ  Ｓ（登録商標）シリーズのアミラーゼ、Ｐｕｒａｓｔａｒ（登録商標）及びＰｕｒａｓｔａｒ（登録商標）Ｏｘ  Ａｍ、Ｏｐｔｉｓｉｚｅ（登録商標）ＨＴ  Ｐｌｕｓ（全てＤｕ  Ｐｏｎｔ）が挙げられる。好適なアミラーゼについては、国際公開第０６／００２６４３号に記載されている。
【００７７】
本発明の組成物は、セルラーゼ酵素を更に含むことが特に好ましくあり得る。好適なセルラーゼとしては、細菌由来又は真菌由来のセルラーゼが挙げられる。化学的に改変された又はタンパク質操作された突然変異体も適している。好適なセルラーゼとしては、バチルス（Bacillus）属、シュードモナス（Pseudomonas）属、フミコーラ（Humicola）属、フサリウム（Fusarium）属、チエラビア（Thielavia）属、アクレモニウム（Acremonium）属由来のセルラーゼ、例えば、フミコーラ・インソレンス（Humicola insolens）、ミセリオフトラ・サーモフィラ（Myceliophthora thermophila）、及びフサリウム・オキシスポラム（Fusarium oxysporum）から生成される、真菌セルラーゼが挙げられる。
【００７８】
市販のセルラーゼとしては、Ｃｅｌｌｕｚｙｍｅ（登録商標）、Ｃａｒｅｚｙｍｅ（登録商標）、及びＣａｒｅｚｙｍｅ（登録商標）Ｐｒｅｍｉｕｍ、Ｃｅｌｌｕｃｌｅａｎ（登録商標）及びＷｈｉｔｅｚｙｍｅ（登録商標）（Ｎｏｖｏｚｙｍｅｓ  Ａ／Ｓ）、Ｒｅｖｉｔａｌｅｎｚ（登録商標）シリーズの酵素（Ｄｕ  Ｐｏｎｔ）、並びにＢｉｏｔｏｕｃｈ（登録商標）シリーズの酵素（ＡＢ  Ｅｎｚｙｍｅｓ）が挙げられる。好適な市販のセルラーゼとしては、Ｃａｒｅｚｙｍｅ（登録商標）Ｐｒｅｍｉｕｍ、Ｃｅｌｌｕｃｌｅａｎ（登録商標）Ｃｌａｓｓｉｃが挙げられる。好適なセルラーゼについては、国際公開第０７／１４４８５７号及び同第１０／０５６６５２号に記載されている。
【００７９】
キレート剤
本発明の組成物は、キレート剤を組成物の総量の０．１重量％〜２０％重量％、好ましくは０．２重量％〜５重量％、より好ましくは０．２重量％〜３重量％の濃度で含む。
【００８０】
洗剤分野において通常理解されるように、キレート化は、本明細書において、二座配位子又は多座配位子の結合又は錯化を意味する。多くの場合有機化合物であるこれらの配位子は、キレート剤、キレーター、キレート化剤、及び／又は金属イオン封鎖剤と呼ばれる。キレート化剤は、単一金属イオンと多重結合を形成する。キレート剤は、特定の金属イオンと可溶性錯体分子を形成する化学物質であり、これらイオンが他の元素又はイオンと正常に反応して沈殿物又はスケールを生成することができないように、これらイオンを不活性化し、又は汚れにそれらを取り除くことをより困難にする殻を形成する。配位子は、基質とキレート錯体を形成する。この用語は、金属イオンがキレート剤の２つ以上の原子と結合する錯体のためにある。
【００８１】
好適なキレート剤は、アミノカルボキシレート、アミノホスホネート、ポリカルボキシレートキレート剤、及びこれらの混合物からなる群から選択することができる。
【００８２】
本明細書で用いるのに好ましいキレート剤は、アミノ酸系キレート剤、及び好ましくはグルタミン酸−Ｎ，Ｎ−二酢酸（ＧＬＤＡ）、メチル−グリシン−二酢酸（ＭＧＤＡ）並びに誘導体、並びに／又はホスホネート系キレート剤、及び好ましくはジエチレントリアミンペンタメチルホスホン酸若しくはヒドロキシエチルジホスホン酸である。ＧＬＤＡ（その塩及び誘導体）は、本発明によれば特に好ましく、その四ナトリウム塩が特に好ましい。
【００８３】
他のキレート剤としては、ポリカルボン酸、及びその部分又は完全中和塩、モノマーのポリカルボン酸及びヒドロキシカルボン酸、並びにそれらの塩のホモポリマー及びコポリマーが挙げられる。好適なポリカルボン酸は、非環式、脂環式、複素環式及び芳香族カルボン酸であり、この場合、これらは、いずれの場合も、好ましくは２個以下の炭素原子によって互いに離れている少なくとも２つのカルボキシル基を含有する。好適なヒドロキシカルボン酸は、例えばクエン酸である。別の好適なポリカルボン酸は、アクリル酸のホモポリマーである。スルホネートでエンドキャップされたポリカルボキシレートが好ましい。
【００８４】
溶媒
洗浄組成物は、液体洗剤組成物、好ましくは洗濯又は液体食器洗浄洗剤の形態である場合、組成物の総重量の約１重量％〜約８０重量％、好ましくは約５重量％〜約７０重量％、より好ましくは約１０重量％〜約６０重量％、より好ましくは約１５重量％〜約５０重量％、最も好ましくは約２０重量％〜約４５重量％の範囲の量で存在し得る、１種以上の有機溶媒を更に含み得る。組成物は、特に、組成物が食器洗浄組成物である場合に、洗浄溶媒を含むことが好ましい。
【００８５】
洗浄溶媒：
本発明の液体組成物は、油脂洗浄溶媒又はこれらの混合物を、非常に好ましい任意成分として含んでもよい。適切な溶媒は、４〜１４個の炭素原子、好ましくは６〜１２個の炭素原子、より好ましくは８〜１０個の炭素原子を有するエーテル類及びジエーテル類；グリコール類又はアルコキシ化グリコール類；アルコキシル化芳香族アルコール類；芳香族アルコール類；アルコキシル化脂肪族アルコール類；脂肪族アルコール類；Ｃ８〜Ｃ１４アルキル及びシクロアルキル炭化水素類及びハロ炭化水素類；Ｃ６〜Ｃ１６のグリコールエーテル類；アルカノールアミン；テルペン類；及びこれらの混合物からなる群から選択される。典型的には、本明細書の液体組成物は、組成物全体の３０重量％まで、好ましくは１重量％〜２５重量％、より好ましくは１重量％〜２０重量％、最も好ましくは２重量％〜１０重量％の上記溶媒又はその混合物を含み得る。
【００８６】
液体洗剤組成物の相分離は、特にそのような組成物中の塩含量が高い場合、常に課題であるため、本発明の溶媒系は、相分離のリスクを最小限に抑えるように特に設計される。具体的には、本発明の溶媒系は、主にジオール、例えば、エチレングリコール、ジエチレングリコール、プロピレングリコール、ジプロピレングリコール、ブチレングリコール、ペンタンジオール、及びこれらの組み合わせから構成される。ジオールは、本発明の液体洗剤組成物中に、約２重量％〜約５０重量％の範囲の総量で存在する。本組成物中のエチレン、ジエチレングリコール、及び／又はプロピレングリコールの総含有量は、約５重量％〜約４０重量％の範囲であることが好ましい。本組成物中のプロピレングリコール含有量は、約１５重量％〜約３５重量％の範囲であることがより好ましい。同様に存在し得る他の有機溶媒としては、限定されないが、メタノール、エタノール、グリセリン、クメンスルホン酸ナトリウム、クメンスルホン酸カリウム、クメンスルホン酸アンモニウム、トルエンスルホン酸ナトリウム、トルエンスルホン酸カリウム、キシレンスルホン酸ナトリウム、キシレンスルホン酸カリウム、キシレンスルホン酸アンモニウム、又はこれらの混合物が挙げられる。他の低級アルコール、例えば、モノエタノールアミン及び／又はトリエタノールアミンなどのＣ１〜Ｃ４のアルカノールアミンを使用することもできる。本発明の特に好ましい実施形態において、本発明の液体洗剤組成物はまた、ジオール（類）の他に、約５重量％〜約２０重量％、好ましくは６重量％〜１８重量％、より好ましくは８重量％〜１６重量％のグリセリンも含有する。
【００８７】
本発明の液体洗剤組成物には、水と共に担体（類）として上記の有機溶媒（類）が含有されていることが好ましい。いくつかの実施形態において、水は、本発明の液体洗剤組成物中に、約２０重量％〜約９０重量％、好ましくは約２５重量％〜８０重量％、より好ましくは約３０重量％〜約７０重量％の範囲の量で存在する。他の実施形態では、水は存在せず、組成物は無水である。本発明により得られる非常に好ましい組成物は、透明な等方性の液体である。
【００８８】
本明細書において上記されている液体洗剤組成物はまた、外部構造剤を含有する場合があり、この外部構造剤は、組成物の総重量の約０．００１重量％〜約１．０重量％、好ましくは約０．０５重量％〜約０．５重量％、より好ましくは約０．１重量％〜約０．３重量％の範囲の量で存在し得る。適切な外部構造化剤としては、例えば米国特許出願第２００７／１６９７４１号及び同第２００５／０２０３２１３号に記載されるものが挙げられる。本発明を実施する上で特に好ましい外部構造化剤（external structurant）は、トリヒドロキシルステアリンとも呼ばれ、Ｔｈｉｘｉｎ（登録商標）の商品名で市販されている硬化ヒマシ油、及び場合により柑橘類繊維のような変性天然繊維から選択される。
【００８９】
本発明の洗浄組成物の残部は、典型的に、約５重量％〜約７０重量％、又は約１０重量％〜約６０重量％の補助成分を含む。
【００９０】
洗濯洗剤製品用の好適な補助成分としては、ビルダー、キレート化剤、移染防止剤、分散剤、レオロジー変性剤、触媒物質、漂白活性化剤、過酸化水素、過酸化水素源、予備形成済み過酸、ポリマー分散剤、粘土汚れ欠失／再付着防止剤、増白剤、泡抑制剤、染料、光漂白剤、構造伸縮性付与剤、柔軟仕上げ剤、担体、向水性物質、加工助剤、溶媒、色相剤、抗菌剤、遊離型香油、辛味剤、嫌悪剤、催吐剤、苦味物質並びに／又は顔料が挙げられる。下記開示に加えて、このような他の補助成分の好適な例及び使用量は、米国特許第５，５７６，２８２号、同第６，３０６，８１２号及び同第６，３２６，３４８号に記載されている。液体洗濯洗剤組成物中におけるこれら補助成分の正確な性質及びその濃度は、組成物の具体的な種類、及び組成物が使用される洗浄作業の性質などの要因によって決まる。
【００９１】
食器用洗剤製品用の好適な補助成分としては、ビルダー、キレート剤、調整用ポリマー、洗浄用ポリマー、表面修飾用ポリマー、汚れ凝集用ポリマー、構造化剤、皮膚軟化剤、保湿剤、皮膚再生活性物質、カルボン酸、スクラブ粒子、漂白剤及び漂白活性化剤、香料、悪臭防除剤、顔料、染料、乳白剤、ビーズ、真珠光沢粒子、マイクロカプセル、有機及び無機カチオン（例えばＣａ／Ｍｇイオン及びジアミンなどのアルカリ土類金属）、抗菌剤、防腐剤、及びｐＨ調整剤、及び緩衝化手段が挙げられる。
【００９２】
組成物が固体流動性微粒子を含む場合、洗剤組成物は、好ましくは、洗濯洗剤組成物の一部のみを形成する噴霧乾燥粒子、押出粒子、又は凝集粒子などの洗濯洗剤組成物の一部分ではなく、完全に配合された洗濯洗剤組成物を含む。典型的には、固体組成物は、以下から選択される１つ以上の、典型的には２つ以上の、又は５つ以上の、又は更には１０以上の粒子と組み合わせて、多くの化学的に異なる粒子例えば噴霧乾燥洗剤粒子及び／又は凝集化ベースの洗剤粒子及び／又は押出化ベースの洗剤粒子を含み、例えば界面活性剤凝集物、界面活性剤押出物、界面活性剤ニードル、界面活性剤ヌードル、界面活性剤フレークを含む、界面活性剤粒子、リン酸塩粒子、ゼオライト粒子、ケイ酸塩粒子、特にナトリウムケイ酸塩粒子、炭酸塩粒子、特に炭酸ナトリウム粒子ポリマー粒子例えばカルボキシレートポリマー粒子、セルロース系ポリマー粒子、澱粉粒子、ポリエステル粒子、ポリアミン粒子、テレフタレートポリマー粒子、ポリエチレングリコール粒子、審美粒子例えば、着色したヌードル、ニードル、ラメラ粒子及びリング状粒子、酵素粒子例えば、プロテアーゼ顆粒、アミラーゼ顆粒、リパーゼ顆粒、セルラーゼ顆粒、マンナナーゼ顆粒、ペクチンリアーゼ顆粒、キシログルカナーゼ顆粒、漂白酵素顆粒、及びこれらの酵素のいずれかの共顆粒化物、好ましくはこれらの酵素顆粒が、硫酸ナトリウムを含み、漂白剤粒子、例えば過炭酸塩粒子、特に被覆過炭酸塩粒子、例えば、炭酸塩、硫酸塩、ケイ酸塩、ホウケイ酸塩、又はこれらの任意の組み合わせで被覆された過炭酸塩、過ホウ酸塩粒子、漂白活性化剤粒子、例えばテトラアセチルエチレンジアミン粒子及び／又はアルキルオキシベンゼンスルホネート粒子、漂白触媒粒子、例えば、遷移金属触媒粒子、及び／又はイソキノリニウム漂白触媒粒子、予備成形過酸粒子、特に被覆予備成形過酸粒子、充填剤粒子例えば、硫酸塩粒子や塩化物粒子、粘土粒子例えば、モンモリロナイト粒子、粘土とシリコーンの粒子、凝集剤粒子例えば、酸化ポリエチレン粒子、ワックス粒子例えば、ワックス凝集物、シリコーン粒子、増白剤粒子、移染防止剤、染料固着剤粒子、香料粒子例えば、香料マイクロカプセル及び澱粉封入香料アコード粒子、又はプロ香料粒子例えばシッフ塩基反応生成物粒子、色調染料粒子、キレート剤凝集物のようなキレート剤粒子；及びそれらの任意の組み合わせである。
【００９３】
ポリマー
カルボキシレートポリマー：組成物は、マレエート／アクリレートランダムコポリマー又はポリアクリレートホモポリマーなどのカルボキシレートポリマーを含んでもよい。好適なカルボキシレートポリマーは、４，０００Ｄａ〜９，０００Ｄａの分子量を有するポリアクリレートホモポリマー、５０，０００〜１００，０００Ｄａ、又は６０，０００Ｄａ〜８０，０００Ｄａの分子量を有するマレエート／アクリレートランダムコポリマーを含む。
【００９４】
別の好適なカルボキシレートポリマーは、（ｉ）カルボキシル基を含む１つ以上のモノマーから誘導される５０〜９８重量％未満の構造単位；（ｉｉ）スルホネート部分を含む１つ以上のモノマーから誘導される１〜４９重量％未満の構造単位；並びに（ｉｉｉ）式（Ｉ）及び（ＩＩ）により表されるエーテル結合含有モノマーから選択される１種以上のモノマーから誘導される１〜４９重量％の構造単位を含む、コポリマーである。
【００９５】
【化１】
2019513877.tif 000003
式（Ｉ）中、Ｒ０は、水素原子又はＣＨ３基を表し、Ｒは、ＣＨ２基、ＣＨ２ＣＨ２基又は単結合を表し、Ｘは、０〜５の数を表し、但し、Ｘは、Ｒが単結合である場合、１〜５の数を表し、Ｒ１は、水素原子又はＣ１〜Ｃ２０有機基であり、
【００９６】
【化２】
2019513877.tif 000004
式（ＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である。
【００９７】
ポリマーは、少なくとも５０ｋＤａ、又は更には少なくとも７０ｋＤａの重量平均分子量を有することが好ましい場合がある。
【００９８】
汚れ放出ポリマー：組成物は、汚れ放出ポリマーを含んでもよい。好適な汚れ放出ポリマーは、以下の構造（Ｉ）、（ＩＩ）、又は（ＩＩＩ）のうちの１つによって特定される構造を有し、
（Ｉ）−［（ＯＣＨＲ１−ＣＨＲ２）ａ−Ｏ−ＯＣ−Ａｒ−ＣＯ−］ｄ
（ＩＩ）−［（ＯＣＨＲ３−ＣＨＲ４）ｂ−Ｏ−ＯＣ−ｓＡｒ−ＣＯ−］ｅ
（ＩＩＩ）−［（ＯＣＨＲ５−ＣＨＲ６）ｃ−ＯＲ７］ｆ
式中、
ａ、ｂ及びｃは、１〜２００であり、
ｄ、ｅ及びｆは、１〜５０であり、
Ａｒは、１，４−置換フェニレンであり、
ｓＡｒは、５位がＳＯ３Ｍｅにより置換された１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラアルキルアンモニウム（アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５、及びＲ６は、独立して、Ｈ又はＣ１〜Ｃ１８  ｎ−若しくはイソ−アルキルから選択され、
Ｒ７は、直鎖状若しくは分枝状Ｃ１〜Ｃ１８アルキル、又は直鎖状若しくは分枝状Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である。
【００９９】
好適な汚れ放出ポリマーは、Ｃｌａｒｉａｎｔにより、ＴｅｘＣａｒｅ（登録商標）シリーズのポリマー、例えば、ＴｅｘＣａｒｅ（登録商標）ＳＲＮ２４０及びＴｅｘＣａｒｅ（登録商標）ＳＲＡ３００として販売されている。他の好適な汚れ放出ポリマーは、Ｓｏｌｖａｙにより、Ｒｅｐｅｌ−ｏ−Ｔｅｘ（登録商標）シリーズのポリマー、例えば、Ｒｅｐｅｌ−ｏ−Ｔｅｘ（登録商標）ＳＦ２及びＲｅｐｅｌ−ｏ−Ｔｅｘ（登録商標）Ｃｒｙｓｔａｌとして販売されている。
【０１００】
再付着防止ポリマー：好適な再付着防止ポリマーとしては、ポリエチレングリコールポリマー及び／又はポリエチレンイミンポリマーが挙げられる。
【０１０１】
好適なポリエチレングリコールポリマーとしては、（ｉ）ポリエチレングリコールを含む親水性骨格鎖、並びに（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖（複数可）を含む、ランダムグラフトコポリマーが挙げられる。好適なポリエチレングリコールポリマーは、ランダムグラフトポリ酢酸ビニル側鎖を有するポリエチレングリコール主鎖を有する。ポリエチレングリコール主鎖の平均分子量は、２，０００Ｄａ〜２０，０００Ｄａ、又は４，０００Ｄａ〜８，０００Ｄａの範囲であり得る。ポリエチレングリコール主鎖のポリ酢酸ビニル側鎖に対する分子量比は、１：１〜１：５又は１：１．２〜１：２の範囲であり得る。エチレンオキシド単位当たりのグラフト部位の平均数は、１未満、又は０．８未満であってもよく、エチレンオキシド単位当たりのグラフト部位の平均数は、０．５〜０．９の範囲であってもよく、あるいはエチレンオキシド単位当たりのグラフト部位の平均数は、０．１〜０．５、又は０．２〜０．４の範囲であってもよい。好適なポリエチレングリコールポリマーは、Ｓｏｋａｌａｎ  ＨＰ２２である。好適なポリエチレングリコールポリマーについては、国際公開第０８／００７３２０号に記載されている。
【０１０２】
セルロース系ポリマー、好適なセルロース系ポリマーは、アルキルセルロース、アルキルアルコキシアルキルセルロース、カルボキシルアルキルセルロース、アルキルカルボキシアルキルセルロース、スルホアルキルセルロースから選択され、より好ましくはカルボキシメチルセルロース、メチルセルロース、メチルヒドロキシエチルセルロース、メチルカルボキシメチルセルロース、及びこれらの混合物から選択される。
【０１０３】
好適なカルボキシメチルセルロースは、０．５〜０．９のカルボキシメチル置換度、及び１００，０００Ｄａ〜３００，０００Ｄａの分子量を有する。
【０１０４】
好適なカルボキシメチルセルロースは、例えば、国際公開第０９／１５４９３３号に記載されているように、０．６５超の置換度及び０．４５超のブロック性度を有する。
【０１０５】
ケアポリマー：好適なケアポリマーとしては、カチオン変性又は疎水変性されたセルロース系ポリマーが挙げられる。かかる変性されたセルロースポリマーは、洗濯サイクル中に布地に抗摩擦効果及び染料ロック効果をもたらし得る。好適なセルロース系ポリマーとしては、カチオン変性ヒドロキシエチルセルロースが挙げられる。
【０１０６】
他の好適なケアポリマーとしては、染料ロックポリマー、例えば、イミダゾール及びエピクロロヒドリンの縮合によって、好ましくは１：４：１の比率で生成される縮合オリゴマーが挙げられる。好適な市販の染料ロックポリマーは、Ｐｏｌｙｑｕａｒｔ（登録商標）ＦＤＩ（Ｃｏｇｎｉｓ）である。
【０１０７】
他の好適なケアポリマーとしては、アミノシリコーンが挙げられ、アミノシリコーンは、布地感触効果及び布地形状維持効果をもたらし得る。
【０１０８】
漂白剤：好適な漂白剤としては、過酸化水素、漂白活性剤、漂白触媒、予成形過酸、及びこれらの任意の組み合わせが挙げられる。とりわけ好適な漂白剤としては、過酸化水素源と漂白活性剤及び／又は漂白触媒との組み合わせが挙げられる。
【０１０９】
過酸化水素源：好適な過酸化水素源としては過ホウ酸ナトリウム及び／又は過炭酸ナトリウムが挙げられる。
【０１１０】
漂白活性剤：好適な漂白活性剤としては、テトラアセチルエチレンジアミン及び／又はアルキルオキシベンゼンスルホネートが挙げられる。
【０１１１】
漂白触媒：組成物は、漂白触媒を含んでもよい。好適な漂白触媒としては、オキサジリジニウム系漂白触媒、遷移金属漂白触媒、特にマンガン及び鉄漂白触媒が挙げられる。好適な漂白触媒は、以下の一般式に対応する構造を有する：
【０１１２】
【化３】
2019513877.tif 000005
式中、Ｒ１３は、２−エチルヘキシル、２−プロピルへプチル、２−ブチルオクチル、２−ペンチルノニル、２−ヘキシルデシル、ｎ−ドデシル、ｎ−テトラデシル、ｎ−ヘキサデシル、ｎ−オクタデシル、イソ−ノニル、イソ−デシル、イソ−トリデシル及びイソ−ペンタデシルからなる群から選択される。
【０１１３】
予成形過酸：好適な予形成過酸としては、フタルイミドペルオキシカルボン酸が挙げられる。
【０１１４】
光沢剤：好適な光沢剤としては、ジ−スチリルビフェニル化合物（例えばＴｉｎｏｐａｌ（登録商標）ＣＢＳ−Ｘ）、ジ−アミノスチルベンジ−スルホン酸化合物（例えばＴｉｎｏｐａｌ（登録商標）ＤＭＳ  ｐｕｒｅ  Ｘｔｒａ及びＢｌａｎｋｏｐｈｏｒ（登録商標）ＨＲＨ）、並びにピラゾリン化合物（例えばＢｌａｎｋｏｐｈｏｒ（登録商標）ＳＮ）、並びにクマリン化合物（例えばＴｉｎｏｐａｌ（登録商標）ＳＷＮ）が挙げられる。
【０１１５】
好ましい光沢剤には、ナトリウム２−（４−スチリル−３−スルフォフェニル）−２Ｈ−ナフトール［１，２−ｄ］トリアゾール、ジナトリウム４，４’−ビス｛［（４−アニリノ−６−（Ｎメチル−Ｎ−２−ヒドロキシエチル）アミノ１，３，５−トリアジン−２−イル）］アミノ｝スチルベン−２−２’ジスルホネート、ジナトリウム４，４’−ビス｛［（４−アニリノ−６−モルホリノ−１，３，５−トリアジン−２−イル）］アミノ｝スチルベン−２−２’ジスルホネート、及びジナトリウム４，４’−ビス（２−スルホスチリル）ビフェニルがある。好適な蛍光光沢剤には、Ｃ．Ｉ．蛍光光沢剤２６０があり、そのβ若しくはα結晶形態で使用しても、又はこれらの形態の混合物で使用してもよい。
【０１１６】
色調剤：好適な色調剤としては、典型的には、例えば、ブルー、バイオレット、レッド、グリーン又はブラックとして分類される、アシッド染料、ダイレクト染料、ベーシック染料、リアクティブ染料（その加水分解した形態を含む）、又は溶剤染料、又は分散染料のカラーインデックス（Ｃ．Ｉ．）分類に入り、単独で又は組み合わせてのいずれかで所望の色合いをもたらす、小分子染料が挙げられる。好ましいかかる色調剤としては、アシッドバイオレット５０、ダイレクトバイオレット９、６６、及び９９、溶剤バイオレット１３、及びこれらの任意の組み合わせが挙げられる。
【０１１７】
国際公開第２０１４／０８９３８６号に記載されている色調剤等、本発明に好適であり得る、多くの色調剤が当該技術分野において既知であり、記載されている。
【０１１８】
好適な色調剤としては、国際公開第２００９／０６９０７７号に記載されているような、フタロシアニン及びアゾ染料結合体が挙げられる。
【０１１９】
好適な色調剤は、アルコキシル化されていてもよい。かかるアルコキシル化化合物は、異なるアルコキシル化度を有する分子の混合物を製造することができる、有機合成によって製造され得る。このような混合物は、色調剤を提供するために直接、使用されてもよく、又は標的分子の割合を増加させるために精製工程を受けてもよい。好適な色調剤としては、国際公開第２０１２／０５４８３５号に記載されているように、アルコキシル化ビスアゾ染料及び／又は国際公開第２００８／０８７４９７号及び同第２０１２／１６６７６８号に記載されているように、アルコキシル化チオフェンアゾ染料が挙げられる。
【０１２０】
色調剤は、任意の精製工程での染料分子の有機合成の結果である反応混合物の一部として、洗剤組成物に組み込んでもよい。このような反応混合物は、一般的に、染料分子自体を含み、更に、未反応の出発物質及び／又は有機合成経路の副生成物を含むことができる。好適な色調剤は、国際公開第２００９／０６９０７７号に記載されているように、色調染料粒子に組み込まれ得る。
【０１２１】
移染阻害剤：好適な移染阻害剤としては、ポリアミンＮ−酸化物ポリマー、Ｎ−ビニルピロリドン及びＮ−ビニルイミダゾールのコポリマー、ポリビニルピロリドン、ポリビニルオキサゾリドン、ポリビニルイミダゾール、並びにこれらの混合物が挙げられる。好ましくは、ポリ（ビニルピロリドン）、ポリ（ビニルピリジンベタイン）、ポリ（ビニルピリジンＮ−酸化物）、ポリ（ビニルピロリドンービニルイミダゾール）、及びこれらの混合物である。好適な市販の移染阻害剤としては、ＰＶＰ−Ｋ１５及びＫ３０（Ａｓｈｌａｎｄ）、Ｓｏｋａｌａｎ（登録商標）ＨＰ１６５、ＨＰ５０、ＨＰ５３、ＨＰ５９、ＨＰ５６Ｋ、ＨＰ５６、ＨＰ６６（ＢＡＳＦ）、Ｃｈｒｏｍａｂｏｎｄ（登録商標）Ｓ−４００、Ｓ４０３Ｅ、及びＳ−１００（Ａｓｈｌａｎｄ）が挙げられる。
【０１２２】
香料：好適な香料は以下の群から選択される香料材料を含む：（ａ）３．０未満のＣｌｏｇＰ及び２５０℃未満の沸点を有する香料物質（象限１の香料物質）、（ｂ）３．０未満のＣｌｏｇＰ及び２５０℃以上の沸点を有する香料物質（象限２の香料物質）、（ｃ）３．０以上のＣｌｏｇＰ及び２５０℃未満の沸点を有する香料物質（象限３香料材料）；（ｄ）３．０以上のＣｌｏｇＰ及び２５０℃以上の沸点を有する香料材料を（象限４香料材料）、並びにｅ）これらの混合物。
【０１２３】
香料は、香料送達技術の形態にあることが好ましい場合がある。このような送達技術は、更に、洗濯された布地からの香料の付着及び放出を安定させ、強化する。このような香料送達技術を使用して、洗濯された布地から香料が放出する寿命を更に延長することもできる。好適な香料送達技術としては、香料マイクロカプセル、プロ香料、ポリマー支援型送達、分子支援型送達、繊維支援型送達、アミン支援型送達、シクロデキストリン、澱粉封入アコード、ゼオライト及び他の無機担体、並びにこれらの任意の組み合わせが挙げられる。好適な香料マイクロカプセルは、国際公開第２００９／１０１５９３号に記載されている。
【０１２４】
好ましい洗剤組成物は手動食器洗浄洗剤であり、好ましくは液体形態である。洗剤は、典型的には、３０重量％〜９５重量％、好ましくは４０重量％〜９０重量％、より好ましくは５０重量％〜８５重量％の液体担体を含有し、この担体には他の必須成分及び任意選択成分が溶解、分散、又は懸濁している。液体担体の好ましい１つの成分は、水である。
【０１２５】
好ましくは洗剤のｐＨは、３〜１４、より好ましくは４〜１３、より好ましくは６〜１２、及び最も好ましくは８〜１０の間に調整する。洗剤のｐＨは、当該技術分野において既知のｐＨ調節成分を使用して調整することができる。
【０１２６】
洗浄方法
本発明の他の態様は、本発明の組成物により器、特に食器を洗浄する方法を対象とする。前述の方法は、好ましくは液体状の組成物を、希釈又は未希釈のいずれかの形態で汚れ表面、特に食器の表面に適用する工程と、組成物をすすぐか、又は表面をすすがずに組成物を表面に残したまま乾燥させる工程と、を含む。
【０１２７】
「そのままの形態」とは、本明細書において、上記組成物が、適用前（直前）に希釈されることなく、処理される表面及び／又は洗浄装置若しくは器具例えば前処理装置、布巾、スポンジ又は皿用ブラシに、直接適用されることを意味する。洗浄装置又は器具は、組成物が供給される前又は後で濡れていることが好ましい。本明細書において「希釈形態」とは、上記組成物が、使用者により、適当な溶媒、典型的には水で希釈されていることを意味する。本明細書において「すすぐ」とは、本明細書の液体組成物を食器に適用する工程の後、本発明に従うプロセスを用いて洗浄された食器のような表面を、大量の適切な溶媒、典型的には水と接触させることを意味する。「大量」とは、通常、約１〜約１０リットルを意味する。
【０１２８】
本明細書の組成物は、希釈形態にて適用できる。汚れ表面、例えば、汚れた食器を、典型的には（処理される食器約２５個当たり）約０．５ｍＬ〜約２０ｍＬ、好ましくは約３ｍＬ〜約１０ｍＬの有効量の本発明の洗剤組成物（好ましくは液体形態）を水で希釈したものと接触させる。使用される洗剤組成物の実際の量は使用者の判断に基づき、典型的には、組成物中の活性成分の濃度を含む組成物の特定の生成物配合、洗浄される汚れた食器の数、食器の汚れの程度などの要因に依存する。一般に、約０．０１ｍＬ〜約１５０ｍＬ、好ましくは約３ｍＬ〜約４０ｍＬの本発明の液体洗剤組成物が、約１０００ｍＬ〜約２００００ｍＬ、より典型的には約５０００ｍＬ〜約１５０００ｍＬの範囲の容積のシンク中で、約２０００ｍＬ〜約２００００ｍＬ、より典型的には約５０００ｍＬ〜約１５０００ｍＬの水と組み合わされる。汚れた食器をこのように希釈した組成物を入れたシンク内に浸漬して、食器の汚れた表面を布、スポンジ又は類似の物品と接触させて洗浄する。布、スポンジ、又は類似の物品は、食器表面と接触させる前に、洗剤組成物と水との混合物に浸漬させてもよく、通常は、約１〜約１０秒の範囲の時間にわたって食器表面と接触するが、実際の時間は各適用及び使用者によって異なる。布、スポンジ、又は同様の物品を表面に接触させることは、好ましくは同時に表面をごしごしこすることによって達成される。
【０１２９】
本発明の別の方法は、いかなる洗剤組成物も用いず、水浴中に食器などの汚れた物品を浸漬すること、又は流水下で保持することを含む。スポンジ又は前処理装置などの洗剤組成物を吸収するための装置は、典型的に約１〜約５秒の範囲の期間にわたって、別個の量の、好ましくは液体形態の未希釈洗剤組成物中に直接配置される。次いで、吸収装置、その結果として未希釈の洗剤組成物は、汚れた食器のそれぞれの表面と個々に接触して、前述の汚れを除去する。吸収装置は通常、約１〜約１０秒の範囲の期間にわたって各表面と接触するが、実際の適用時間は、表面の汚れの程度などの要因に左右されることになる。吸収装置を食器表面に接触させることは、好ましくは同時にごしごしこすることを伴う。
【０１３０】
あるいは、装置は、汚れ表面と接触させる前に、洗剤組成物と水との混合物中に浸漬されてもよく、この濃縮溶液は、洗浄装置を収容できる小さい容器内で、使用者の習慣と洗浄作業に応じて、それぞれ約９５：５〜約５：９５、好ましくは約８０：２０〜約２０：８０、より好ましくは約７０：３０〜約３０：７０の範囲の洗剤組成物：水の重量比で、好ましくはそれぞれ液体形態の洗剤組成物：水の比で、洗剤を水で希釈することにより作製される。これらの方法は、食器である汚れ表面に特に適用される。
【０１３１】
本発明による洗剤組成物はまた、汚れた物を自動洗浄機にかける前の前処理組成物としても使用されてもよい。前処理に続いて、汚れた表面を洗浄機で洗浄してもよく、又は別の方法ですすいでもよい。機械方法では、汚れた表面は、有効量の本発明の洗浄組成物が溶解又は分配された水性洗浄液で処理されてもよい。洗浄組成物の「有効量」とは、約５Ｌ〜約６５Ｌの体積の洗浄液中に、約１０ｇ〜約３００ｇの製品が溶解又は分散していることを意味する。水温は、約５℃〜約１００℃の範囲であってよい。水と汚れた材料（例えば、布地）との比率は、約１：１〜約３０：１であってもよい。本組成物は、溶液中約５００ｐｐｍ〜約１５，０００ｐｐｍの濃度で使用され得る。布地洗濯組成物の文脈において、使用濃度は、また、汚れ及び染みのタイプ並びに程度だけでなく、洗浄水の温度、洗浄水の容量、及び洗濯機のタイプ（例えば、上側投入式、前側投入式、上側投入式、垂直軸型日本タイプ自動洗濯機）にも応じて変化してもよい。
【０１３２】
本発明は、特に手動洗浄方法又は手洗い／浸漬方法を対象とし、半自動洗濯機と組み合わせた手動洗浄もまた含まれる。温度は通常、５０、４５、４０、３５、３０、又は２５℃より低い。
【実施例】
【０１３３】
以降、本発明は、実施例に基づいてより詳細に説明される。全ての百分率は、特に指示がない限り、重量を基準とする。
【０１３４】
（実施例１）：
酵素を含まない基準組成物の発泡可能性を、下記の試験プロトコルに従って、本発明による酵素を添加した同じ配合物を含む試験組成物の発泡可能性と比較した。オリーブオイルのオレイン酸源として使用した。
【０１３５】
試験プロトコル：
以下の基準配合物を水（水硬度１５ｄＨ、２０℃）中で、生成物濃度０．１２％で希釈することによって、洗浄液を調製した。この洗浄溶液１１ｇを４０ｍＬガラスバイアル（直径２８ｍｍ及び高さ９５ｍｍ）に添加した。試験の基準群には酵素を添加しなかった。配列番号１に従った９０ｐｐｍのオレイン酸ヒドラターゼ酵素を、試験群Ａに対して基準群配合物の頂部に添加した。配列番号２に従った９０ｐｐｍのオレイン酸ヒドラターゼ酵素を、試験群Ｂに対して基準群の頂部に添加した。試験群Ａ及びＢが本発明に従った実施例である一方で、基準群は、本発明の範囲外の比較例である。
【０１３６】
０．２２ｇのオリーブオイル（Ｂｅｒｔｏｌｉ：Ｏｌｉｏ  Ｅｘｔｒａ  Ｖｅｒｇｉｎｅ  Ｄｉ  Ｏｌｉｖａ−Ｏｒｉｇｉｎａｌｅ）を更に各バイアルに添加した。各バイアルに磁気撹拌棒（サイズ：長さ８ｍｍ、直径３ｍｍ）を加え、各溶液を液体高さの半分に達する渦で２分間、磁気撹拌板上で撹拌した。次いで、得られた均質化試料を、約２０ｃｍ上向き及び２０ｃｍ下向きの距離にわたる上下運動で、１分当たり１２０回の振とうの頻度で２０秒間、４５度の振とう振幅で、一緒に手で振とうした。１つの振とうは、１つの上向き動作及び１つの下向き動作を含む。次いで、３つの試験バイアルを、５００ｒｐｍで撹拌する磁気撹拌板上の３５℃の温水浴中に１時間入れた。その結果として、古い試料の泡の高さ（ｃｍ）を、２０秒間の再度の手による振とう後に測定した。
【０１３７】
【表２】
2019513877.tif 000006
【０１３８】
試験結果：
オレイン酸ヒドラターゼ酵素を含む両方の組成物が、本発明に従った酵素を含まない基準配合物と比較して、オリーブオイルの存在下でより多くの泡を構築することが、以下の泡高データから理解され得る。
【０１３９】
【表３】
2019513877.tif 000007
【０１４０】
実施例２．例示的な手動食器洗浄洗剤組成物
【０１４１】
【表４】
2019513877.tif 000008
【０１４２】
（実施例３）
例示的な液体洗濯洗剤組成物
次の液体洗濯洗剤組成物は、当業者に公知である伝統的な手法により次の成分を混合して調製される。
【０１４３】
【表５】
2019513877.tif 000009
【０１４４】
（実施例４）
単位用量（ＵＤ）製品中に用いられる例示的な液体洗剤組成物
以下の液体洗剤組成物を調製し、ポリビニルアルコールフィルムにより形成した多区画パウチに封入した。
【０１４５】
【表６】
2019513877.tif 000010
＊限定されないが、プロパンジオール、グリセロール、エタノール、ジプロピレングリコール、ポリエチレングリコール、ポリプロピレングリコールを挙げることができる。
【０１４６】
（実施例５）
手洗い用又は洗濯機、通常はトップローディング式洗濯機用の顆粒状洗濯洗剤組成物
【０１４７】
【表７】
2019513877.tif 000011
１  ＡＥＳは、０〜２０％の範囲の量の、ＡＥ１．５Ｓ、ＡＥ２Ｓ、及び／又はＡＥ３Ｓであり得る。
２  ＬＡＳは、０〜２０％の範囲の量で提供され得る。
３  ＡＥは、Ｈｕｎｔｓｍａｎ，Ｓａｌｔ  Ｌａｋｅ  Ｃｉｔｙ，Ｕｔａｈ，ＵＳＡから供給されている、平均エトキシル化度が７〜９のＣ１２〜１４のアルコールエトキシレートである。０〜１０％の範囲の量で提供され得る。
４  プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標）、Ｅｘｃｅｌｌａｓｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給され得る。
５  Ｎｏｖｏｚｙｍｅｓ（Ｂａｇｓｖａｅｒｄ，Ｄｅｎｍａｒｋ）（例えば、Ｎａｔａｌａｓｅ（登録商標）、Ｍａｎｎａｗａｙ（登録商標））から入手可能。
６  Ｎｏｖｏｚｙｍｅｓ（例えば、Ｗｈｉｔｅｚｙｍｅ（登録商標））から入手可能。
７  ランダムグラフトコポリマーは、ポリエチレンオキシド骨格と複数のポリ酢酸ビニル側鎖とを有する、ポリ酢酸ビニルグラフト化ポリエチレンオキシドコポリマーである。ポリエチレンオキシド主鎖の分子量は、約６０００であり、ポリエチレンオキシドとポリ酢酸ビニルの重量比は、約４０対６０であり、５０エチレンオキシド単位あたり１グラフト点を超えず、ＢＡＳＦからＳｏｋａｌａｎ  ＰＧ１０１（登録商標）として入手可能である。
８  次の一般構造、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）、（式中、ｎ＝２０〜３０、ｘ＝３〜８）を有する化合物又はその硫酸化若しくはスルホン化したもの（変異体）で、ＢＡＳＦからＬｕｔｅｎｚｉｔ  Ｚ  ９６（登録商標）として入手可能。
９  ＤＴＰＡは、Ｄｏｗ  Ｃｈｅｍｉｃａｌ（Ｍｉｄｌａｎｄ，Ｍｉｃｈｉｇａｎ，ＵＳＡ）から供給されているジエチレントリアミン五酢酸である。
１０  好適な蛍光白色剤は、例えば、Ｔｉｎｏｐａｌ（登録商標）ＡＭＳ、Ｔｉｎｏｐａｌ（登録商標）ＣＢＳ−Ｘ、スルホン化亜鉛フタロシアニン（Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ））である。０〜５％の範囲の量で提供され得る。
１１  好適な防腐剤としては、０〜１％の範囲の量で提供され得るメチルイソシアゾリノン（ＭＩＴ）又はベンズイソシアゾリノン（ＢＩＴ）が挙げられる。
１２  ＤＴＩは、ポリ（４−ビニルピリジン−１−オキシド）（Ｃｈｒｏｍａｂｏｎｄ  Ｓ−４０３Ｅ（登録商標）など）及び／又はポリ（１−ビニルピロリド−ｃｏ−１−ビニルイミダゾール）（Ｓｏｋａｌａｎ  ＨＰ５６（登録商標）など）である。
１３  キレート剤は、ジエチレントリアミン五酢酸、１−ヒドロキシエタン１，１−ジホスホン酸及び／又はエチレンジアミン−Ｎ，Ｎ’−ジコハク酸、（Ｓ、Ｓ）異性体（ＥＤＤＳ）である。
１４  Ｓ−ＡＣＭＣは、Ｍｅｇａｚｙｍｅによって提供されたＲｅａｃｔｉｖｅ  Ｂｌｕｅ  １９  Ａｚｏ−ＣＭ−Ｃｅｌｌｕｌｏｓｅである。
１５  蛍光増白剤は、４，４’−ビス｛［４−アニリノ−６−モルホリノ−ｓ−トリアジン−２−イル］−アミノ｝−２，２’−スチルベンジスルホネート二ナトリウム、４，４’−ビス（２−スルホスチリル）ビフェニル二ナトリウム（ナトリウム塩）及び／又は３Ｖ  ＳｉｇｍａからのＯｐｔｉｂｌａｎｃ  ＳＰＬ１０（登録商標）である
【０１４８】
酵素に与えられる全ての割合及び比率は、活性タンパク質に基づく。本明細書の全ての百分率及び比率は、特に指示がない限り、重量で計算される。全ての百分率及び比率は、特に指示がない限り、全組成物に基づいて計算される。
【０１４９】
本明細書の全体を通して記載される全ての最大数値限定は、それよりも小さい全ての数値限定を、かかるより小さい数値限定があたかも本明細書に明確に記載されているかのように包含するものと理解すべきである。本明細書の全体を通して示される全ての最小数値限定は、それよりも高い全ての数値限定を、このようなより高い数値限定があたかも本明細書に明確に記載されているかのように包含する。本明細書の全体を通して示される全ての数値範囲は、このような広い数値範囲内に収まるより狭い全ての数値範囲を、このようなより狭い数値範囲が全てあたかも本明細書に明確に記載されているかのように包含する。
【０１５０】
本明細書に開示した寸法及び値は、記載された正確な数値に厳密に限定されるものと理解されるべきではない。むしろ、特に指示がない限り、そのような各寸法は、記載された値及びその値の周辺の機能的に同等の範囲の両方を意味するものとする。例えば、「４０ｍｍ」として開示される寸法は、「約４０ｍｍ」を意味するものとする。
【０１５１】
あらゆる相互参照される又は関連する特許若しくは出願を含む、本明細書に引用される全ての文書は、明示的に除外される、又は別途限定されない限り、参照によりその全体が本明細書に組み込まれる。いかなる文献の引用も、本明細書中で開示又は特許請求される任意の発明に対する先行技術であるとはみなされず、又はそれを単独で若しくは任意の他の参考文献と組み合わせたときに、そのような任意の発明を教示、示唆、又は開示するとはみなされない。更に、本文書における用語の任意の意味又は定義が、参照として組み込まれた文献内の同じ用語の任意の意味又は定義と矛盾する場合、本文書においてその用語に付与された意味又は定義が優先される。
【手続補正書】
【提出日】平成30年10月16日(2018.10.16)
【手続補正１】
【補正対象書類名】明細書
【補正対象項目名】配列表
【補正方法】追加
【補正の内容】
【配列表】
2019513877000001.app
【国際調査報告】
2019513877.tif 000012
2019513877.tif 000013
2019513877.tif 000014
2019513877.tif 000015
2019513877.tif 000016
2019513877.tif 000017